(57)【特許請求の範囲】
【請求項１】
ネットワークを介して接続される画像提供装置と携帯型端末装置とからなる画像提供システムであって、
前記画像提供装置は、
写真シール作成装置において生成された画像を含むデータを、前記写真シール作成装置から取得する取得手段と、
取得された前記データを記憶する記憶手段と、
前記画像を前記携帯型端末装置に送信する送信手段と
を備え、
前記携帯型端末装置は、
前記画像提供装置から前記画像を受信する受信手段と、
明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像を生成する生成手段と
を備える
画像提供システム。
【請求項２】
写真シール作成装置において生成された画像を受信する受信ステップと、
明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像を生成する生成ステップと
を含む携帯型端末装置の画像処理方法。
【請求項３】
前記写真シール作成装置の前記機種を選択する選択ステップをさらに含み、
前記生成ステップにおいて、前記機種ごとに予め用意された前記複数の異なる写り値のうち、前記選択ステップの処理で選択された前記機種の前記利用者により選択された前記写り値に基づいて、前記写り画像を生成する
請求項２に記載の画像処理方法。
【請求項４】
前記受信ステップにおいて、前記写真シール作成装置の前記機種を示す情報をさらに受信し、
前記生成ステップにおいて、前記機種ごとに予め用意された前記複数の異なる写り値のうち、前記情報により特定される前記機種の前記利用者により選択された前記写り値に基づいて、前記写り画像を生成する
請求項２に記載の画像処理方法。
【請求項５】
前記受信ステップにおいて、前記利用者により前記写真シール作成装置において選択された前記写り値を示す情報さらに受信し、
前記生成ステップにおいて、前記受信ステップの処理で受信された前記情報により示される前記写り値に基づいて、前記写り画像を生成する
請求項２乃至請求項４の何れかに記載の画像処理方法。
【請求項６】
前記画像は、前記写真シール作成装置において前記利用者により選択された前記写り値に基づいて生成された前記写り画像であり、
前記受信ステップにおいて、前記利用者により前記写真シール作成装置において選択された前記写り値を示す情報さらに受信し、
前記生成ステップにおいて、前記受信ステップの処理で受信された前記情報により示される前記写り値、および前記情報により示される前記写り値とは異なる、前記利用者により選択された前記写り値に基づいて、前記写り画像を生成する
請求項２乃至請求項４の何れかに記載の画像処理方法。
【請求項７】
写真シール作成装置において生成された画像の受信を制御し、
明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像を生成する
ステップを含む処理をコンピュータに実行させるプログラム。
【発明の詳細な説明】
【技術分野】
【０００１】
本発明は画像提供システム、画像処理方法、およびプログラムに関し、特に、携帯型端末装置に応じた写りの画像を提供することができるようにした画像提供システム、画像処理方法、およびプログラムに関する。
【背景技術】
【０００２】
従来、利用者を撮影して得られた撮影画像、または撮影画像に対して編集（落書き）が施された編集画像をシール紙に印刷して提供する写真シール機が知られている。このような写真シール機は娯楽（遊戯）施設等に設置され、写真シール機により提供される１ゲームは、利用者の撮影、撮影画像の編集、シール紙への印刷という流れになっている。
【０００３】
多くの写真シール機には、撮影画像にタッチペンなどで任意の文字や図形、スタンプ画像を合成することのできる編集機能が備えられており、女子中学生や女子高校生などが複数人の友達同士で、編集機能を利用した編集や提供されるゲームを楽しんでいる。
【０００４】
また、近年の写真シール機には、撮影画像や編集画像をシール紙に印刷するほか、シール紙の印刷の待ち時間や、編集処理の開始からシール紙への印刷終了までの間に、撮影画像や編集画像を利用者の携帯型端末装置に送信できるものもある。
【０００５】
例えば、そのような写真シール機には、利用者の満足度向上のため、携帯型端末装置に送信される撮影画像等の画像サイズやデータ形式を、ユーザが所有する携帯型端末装置の機種に応じたサイズや形式とすることができるものがある（例えば、特許文献１参照）。また、高性能な携帯型端末装置に対応するため、従来よりも高画質な撮影画像等を携帯型端末装置に送信することができる写真シール機も提案されている（例えば、特許文献２参照）。
【０００６】
さらに、携帯型端末装置への画像送信機能を有さないが、撮影処理、編集処理、印刷処理などの各処理が異なる筐体で行なわれるようにし、複数の筐体を適宜設置してあたかも１つの店舗のように構成する画像入力装置も提案されている（例えば、特許文献３参照）。
【先行技術文献】
【特許文献】
【０００７】
【特許文献１】特開２００７−２２８４３９号公報
【特許文献２】特開２０１１−９７４７３号公報
【特許文献３】特開２００３−３３３４７８号公報
【発明の概要】
【発明が解決しようとする課題】
【０００８】
ところで、携帯型端末装置への画像送信機能を有する写真シール機では、送信先の携帯型端末装置に応じた画像サイズで撮影画像等を送信することができるが、利用者が所有する携帯型端末装置に適した写りの画像を提供することができない場合があった。
【０００９】
すなわち、同じ撮影画像等を表示させた場合でも、各携帯型端末装置によって表示される撮影画像等の明るさや色味などの写り具合が異なるので、利用者が自分の携帯型端末装置に送信されてきた画像を見たときに、見映えが悪く落胆してしまうことがあった。
【００１０】
本発明は、このような状況に鑑みてなされたものであり、携帯型端末装置に応じた写りの画像を提供することができるようにするものである。
【課題を解決するための手段】
【００１１】
本発明の画像提供システムは、ネットワークを介して接続される画像提供装置と携帯型端末装置とからなる画像提供システムであって、前記画像提供装置は、写真シール作成装置において生成された画像を含むデータを、前記写真シール作成装置から取得する取得手段と、取得された前記データを記憶する記憶手段と、前記画像を前記携帯型端末装置に送信する送信手段とを備え、前記携帯型端末装置は、前記画像提供装置から前記画像を受信する受信手段と、明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像を生成する生成手段とを備える。
【００１２】
本発明の画像提供システムにおいては、携帯型端末装置とネットワークを介して接続される画像提供装置において、写真シール作成装置において生成された画像を含むデータが、前記写真シール作成装置から取得され、取得された前記データが記憶され、前記画像が前記携帯型端末装置に送信される。また、前記携帯型端末装置において、前記画像提供装置から前記画像が受信され、明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像が生成される。
【００１３】
本発明の携帯型端末装置の画像処理方法は、写真シール作成装置において生成された画像を受信する受信ステップと、明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像を生成する生成ステップとを含む。
【００１４】
画像処理方法では、前記写真シール作成装置の前記機種を選択する選択ステップがさらに含まれるようにし、前記生成ステップにおいて、前記機種ごとに予め用意された前記複数の異なる写り値のうち、前記選択ステップの処理で選択された前記機種の前記利用者により選択された前記写り値に基づいて、前記写り画像を生成させることができる。
【００１５】
前記受信ステップにおいて、前記写真シール作成装置の前記機種を示す情報をさらに受信させ、前記生成ステップにおいて、前記機種ごとに予め用意された前記複数の異なる写り値のうち、前記情報により特定される前記機種の前記利用者により選択された前記写り値に基づいて、前記写り画像を生成させることができる。
【００１６】
前記受信ステップにおいて、前記利用者により前記写真シール作成装置において選択された前記写り値を示す情報さらに受信させ、前記生成ステップにおいて、前記受信ステップの処理で受信された前記情報により示される前記写り値に基づいて、前記写り画像を生成させることができる。
【００１７】
前記画像を、前記写真シール作成装置において前記利用者により選択された前記写り値に基づいて生成された前記写り画像とし、前記受信ステップにおいて、前記利用者により前記写真シール作成装置において選択された前記写り値を示す情報さらに受信させ、前記生成ステップにおいて、前記受信ステップの処理で受信された前記情報により示される前記写り値、および前記情報により示される前記写り値とは異なる、前記利用者により選択された前記写り値に基づいて、前記写り画像を生成させることができる。
【００１８】
本発明のプログラムは、写真シール作成装置において生成された画像の受信を制御し、明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像を生成するステップを含む。
【００１９】
本発明の画像処理方法またはプログラムにおいては、写真シール作成装置において生成された画像が受信され、明るさ、色の濃淡、色相、彩度、またはコントラストの少なくとも何れかである写りを変化させるための複数の異なる写り値であって、前記写真シール作成装置の機種ごとに予め用意された複数の異なる写り値のうち、利用者により選択された写り値に基づいて、前記画像の写りを調整することで写り画像が生成される。
【発明の効果】
【００２０】
本発明によれば、携帯型端末装置に応じた写りの画像を提供することができる。
【図面の簡単な説明】
【００２１】
【図１】本発明の画像提供システムの構成例を示す図である。
【図２】写真シール機の外観の構成例を示す斜視図である。
【図３】カーテンを取り付けた状態の写真シール機の外観を示す斜視図である。
【図４】写真シール機の外観を他の角度からみた斜視図である。
【図５】利用者の移動について説明する図である。
【図６】撮影部の構成例を示す図である。
【図７】撮影部の色について説明する図である。
【図８】背景部の構成例を示す図である。
【図９】編集部の構成例を示す図である。
【図１０】事後接客部の構成例を示す図である。
【図１１】写真シール機の内部の構成例を示す図である。
【図１２】管理サーバの構成例を示す図である。
【図１３】管理サーバの機能的な構成例を示す図である。
【図１４】携帯型端末装置の構成例を示す図である。
【図１５】携帯型端末装置の機能的な構成例を示す図である。
【図１６】写真シール作成ゲーム処理について説明するフローチャートである。
【図１７】画像管理処理について説明するフローチャートである。
【図１８】元画像取得処理について説明するフローチャートである。
【図１９】写り値変更処理について説明するフローチャートである。
【図２０】写り値の変更時における画面遷移例を示す図である。
【図２１】管理サーバの機能的な構成例を示す図である。
【図２２】画像管理処理について説明するフローチャートである。
【図２３】写り画像取得処理について説明するフローチャートである。
【図２４】携帯型端末装置の機能的な構成例を示す図である。
【図２５】編集処理について説明するフローチャートである。
【図２６】編集処理について説明するフローチャートである。
【図２７】編集キット提供処理について説明するフローチャートである。
【図２８】画像提供システムの他の構成例を示す図である。
【図２９】撮影機の構成例を示す図である。
【図３０】専用情報端末装置の構成例を示す図である。
【図３１】写真シール作成ゲーム処理について説明するフローチャートである。
【図３２】画像管理処理について説明するフローチャートである。
【図３３】編集処理について説明するフローチャートである。
【図３４】画像提供処理について説明するフローチャートである。
【発明を実施するための形態】
【００２２】
以下、図面を参照して、本発明を適用した実施の形態について説明する。
【００２３】
〈第１の実施の形態〉
［画像提供システムの構成例］
図１は、本発明を適用した画像提供システムの一実施の形態の構成例を示す図である。
【００２４】
この画像提供システムは、写真シール機１、携帯型端末装置２、管理サーバ３、およびアプリケーションプログラム提供サーバ４から構成される。
【００２５】
写真シール機１は、利用者を被写体として撮影し、その結果得られた撮影画像に対して利用者の操作に応じた編集を行なって、編集された撮影画像（以下、編集画像とも称する）をシール紙に印刷して提供するゲームを、利用者に対して提供する。
【００２６】
携帯型端末装置２は、写真シール機１が提供するゲームを行い、シール紙を受け取る利用者が携帯している携帯電話機や携帯型のコンピュータなどの端末装置である。また、管理サーバ３およびアプリケーションプログラム提供サーバ４は、例えば写真シール機１のメーカーが管理する画像処理装置である。
【００２７】
写真シール機１には、非接触型ＩＣとの間で近接通信を行うリーダ／ライタが設けられており、携帯型端末装置２には非接触型ＩＣが内蔵されている。図１の画像提供システムでは、写真シール機１と携帯型端末装置２の間の情報の送受信は、携帯型端末装置２が写真シール機１のリーダ／ライタにかざされたときに、非接触型ＩＣを用いた近接通信により行われる。
【００２８】
また、写真シール機１と管理サーバ３の間の情報の送受信や、携帯型端末装置２と、管理サーバ３またはアプリケーションプログラム提供サーバ４との間の情報の送受信は、インターネットなどのネットワークを介して行われる。
【００２９】
さらに、写真シール機１は携帯送信機能を有しており、携帯型端末装置２の利用者は、写真シール機１が提供する写真シール作成ゲームにおいて携帯送信機能を利用することができる。ここで、携帯送信機能とは、写真シール機１で生成された編集画像を携帯型端末装置２で閲覧することができるように、写真シール機１が管理サーバ３に編集画像を送信する機能である。
【００３０】
写真シール機１において生成された編集画像は、利用者により入力されたメールアドレスとともに管理サーバ３に送信され、管理サーバ３が有する記憶媒体に保存（記憶）される。そして、編集画像の保存先を示すURL（Uniform Resource Locator）を含む電子メールが管理サーバ３から携帯型端末装置２に送信される。
【００３１】
利用者は、携帯型端末装置２を操作して電子メールに含まれるURLにアクセスすることで、管理サーバ３に保存されている編集画像を携帯型端末装置２にダウンロードさせ、保存させることができる。これにより、利用者は、携帯型端末装置２に編集画像を表示させたり、編集画像を待受け画面に設定したりすることができる。
【００３２】
さらに、利用者は、アプリケーションプログラム提供サーバ４により提供されるアプリケーションプログラムを利用すれば、携帯型端末装置２に保存されている編集画像の写りを、自分の好みに応じて変更させることができる。
【００３３】
例えば、利用者は携帯型端末装置２を操作してアプリケーションプログラム提供サーバ４と通信させ、アプリケーションプログラムを購入する。購入手続が行なわれると、携帯型端末装置２は、アプリケーションプログラム提供サーバ４から送信されてくるアプリケーションプログラムを受信してインストールする。
【００３４】
その後、利用者は携帯型端末装置２を操作して、アプリケーションプログラムを起動させ、所望の編集画像を指定するとともに、その編集画像の写り具合を示す写り値を選択する。すると、携帯型端末装置２は、選択された写り値により特定される写りの編集画像（以下、写り画像とも称する）を生成し、得られた写り画像を表示したり、保存したりする。
【００３５】
なお、画像の写りとは、画像の明るさ、色の濃淡、色相、彩度、またはコントラストのうちの少なくとも何れかをいう。アプリケーションプログラムによる編集画像の写りの変更（調整）は、明るさ、色の濃淡、色相、彩度、またはコントラストのうちの任意の組み合わせについて行なわれてもよいが、以下では説明を簡単にするため、写りとして編集画像の明るさのみが変更されることとする。
【００３６】
また、写り値とは、画像の写りを変更させるためのパラメータ、より詳細にはそのパラメータを示す情報であり、例えば写りの変更により明るさが変更される場合には、写り値は画像の明るさを示す値とされる。
【００３７】
具体的には、例えば写り値は「１」から「５」までの値とされ、より大きい値の写り値の画像ほど、より明るい画像とされる。つまり、写り値の大きさは、その写り値により示されるパラメータによって調整される画像の明るさを表している。また、もとの編集画像の明るさを示す写り値が「３」とされる。したがって、写り値「４」や「５」の画像は編集画像よりも明るい画像となり、写り値「１」や「２」の画像は編集画像よりも暗い画像となる。このような写り値（パラメータ）によってもとの編集画像の写りを調整することで得られた、写り調整後の画像が写り画像である。
【００３８】
［写真シール機の構成例］
次に、図１の写真シール機１の構成について説明する。図２は、写真シール機１の外観の構成例を示す斜視図である。
【００３９】
写真シール機１は、撮影や編集等の作業を利用者にゲームとして行わせ、編集画像を提供する代わりに利用者より代金を受け取るゲーム機である。写真シール機１はゲームセンタなどの店舗に設置される。利用者は１人であることもあるし、複数人であることもある。
【００４０】
写真シール機１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの撮影画像、すなわち編集画像が印刷されたシール紙を受け取って一連のゲームを終了させることになる。
【００４１】
図２に示すように、写真シール機１は、主に、撮影ユニット１１、編集部１２、および事後接客部１３から構成される。撮影ユニット１１と編集部１２が接した状態で設置され、編集部１２と事後接客部１３が接した状態で設置される。
【００４２】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００４３】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００４４】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４８】
複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【００４９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５０】
図３に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００５１】
また、図３に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００５２】
図２の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００５３】
図２に示す編集部１２の構成を正面側の構成とすると、２組の利用者が同時に編集処理を行うことができるように、編集部１２の正面側と背面側には編集処理に用いられる構成がそれぞれ設けられる。
【００５４】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５５】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５６】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００５７】
また図４は、写真シール機１を図２とは別の角度から見た斜視図である。
【００５８】
事後接客部１３は事後接客処理を利用者に行わせる装置である。事後接客処理には、撮影画像や編集済みの画像を送信する携帯送信の処理、ミニゲームを利用者に行わせる処理、アンケートに答えさせる処理などが含まれる。
【００５９】
図４に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００６０】
ここで、写真シール作成ゲームの流れと、それに伴う利用者の移動について図５を参照して説明する。図５は、写真シール機１を上から見た平面図である。
【００６１】
写真シール機１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００６２】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６３】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００６４】
なお、以下、編集空間Ａ２−１および編集空間Ａ２−２を個々に区別する必要のない場合、単に編集空間Ａ２とも称する。
【００６５】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００６６】
上述した携帯送信の処理は、事後接客空間Ａ３にいる利用者を対象とした処理である。撮影画像や編集画像を管理サーバ３に送信する処理などが事後接客空間Ａ３にいる利用者による操作に応じて行われる。
【００６７】
画像の印刷が終了したとき、利用者は、事後接客部１３に設けられた排出口からシール紙を受け取り、一連の写真シール作成ゲームを終えることになる。
【００６８】
次に、写真シール機１を構成する各装置について説明する。
【００６９】
図６は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００７０】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００７１】
正面パネル４１のほぼ中央には撮影・表示ユニット８１が設けられる。撮影・表示ユニット８１は、カメラ９１、正面ストロボ９２、およびタッチパネルモニタ９３から構成される。
【００７２】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００７３】
カメラ９１を囲むように発光面が設けられた正面ストロボ９２は、他のストロボと同様にカメラ９１による撮影に合わせて発光し、被写体としての利用者の顔付近を正面から照射する。
【００７４】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００７５】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７６】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００７７】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００７８】
足元ストロボ８６の右側には、利用者がお金を投入する硬貨投入返却口８７が設けられる。
【００７９】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００８０】
このような構成を有する撮影部２１の各部のうち、正面パネル４１、側面パネル４２Ａ、側面パネル４２Ｂ、およびベース部４３の撮影空間Ａ１に面する部分の色と、連結部２３Ａ、連結部２３Ｂの内側の色は、図７に色を付して示すように黒色などの暗い色とされる。図３を参照して説明したように、撮影空間Ａ１の天井前方の開口に取り付けられる天井前方カーテン６１の内側の色と、出入り口Ｇ１およびＧ２に取り付けられるカーテンの内側の色が暗い色であることもあって、撮影空間Ａ１の前方の色は全体的に暗い色となる。
【００８１】
後述するように、背景部２２には撮影空間Ａ１にいる利用者を背面側から照射するストロボが設けられる。撮影空間Ａ１の前方の色を全体的に暗い色にすることによって、背景部２２に設けられるストロボからの光が撮影空間Ａ１内で反射し、利用者を照射してしまうことを防ぐことができ、意図した明るさで撮影を行うことが可能になる。
【００８２】
すなわち、背景部２２の両端に設けられたストロボからの光のうち、利用者にあたらない光の反射は出入り口Ｇ１およびＧ２に取り付けられた側面カーテンの内側で防ぐことができる。また、撮影部２１の正面に設けられた例えば下ストロボ８５からの光のうち、利用者にあたらない光の反射は天井前方カーテン６１の内側で防ぐことができる。撮影部２１の正面に設けられた左ストロボ８３および右ストロボ８４からの光のうち、利用者にあたらない光の反射は側面パネル４２Ａ、側面パネル４２Ｂの内側で防ぐことができる。
【００８３】
また、図３を参照して説明したように、撮影空間Ａ１の天井後方の開口に取り付けられる天井後方カーテン６２の内側の色は明るい色である。背景カーテンとして明るい色のカーテンを選択することによって、撮影空間Ａ１の後方の色は全体的に明るい色となる。
【００８４】
撮影空間Ａ１の後方の色を全体的に明るい色にすることによって、撮影部２１に設けられるストロボからの光を撮影空間Ａ１内で反射させ、利用者を後方から照射することが可能になる。利用者を後方から照射して撮影を行うことによって、逆光で撮影したときと同様に、利用者の輪郭が柔らかい雰囲気で写っている画像を撮影することが可能になる。
【００８５】
図８は、背景部２２の撮影空間Ａ１側の構成例を示す図である。
【００８６】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００８７】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００８８】
図９は、編集部１２の正面側（編集空間Ａ２−１側）の構成例を示す図である。
【００８９】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９０】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。なお、以下、タッチペン１３２Ａおよびタッチペン１３２Ｂを個々に区別する必要のない場合、単にタッチペン１３２とも称する。
【００９１】
編集部１２の左側には事後接客部１３が設けられる。
【００９２】
図１０は、事後接客部１３の正面側の構成例を示す図である。
【００９３】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、事後接客処理に用いられる画面が表示される。
【００９４】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００９５】
非接触型ＩＣリーダ／ライタ１６３は、近接された非接触型ＩＣと通信を行い、非接触型ＩＣからのデータの読み出しや非接触型ＩＣに対するデータの書き込みを行う。
【００９６】
例えば、携帯送信をする利用者が携帯型端末装置２をかざしたとき、非接触型ＩＣリーダ／ライタ１６３は、携帯型端末装置２の識別情報である携帯端末ＩＤなどの情報を携帯型端末装置２に内蔵されている非接触型ＩＣから読み出して取得する。非接触型ＩＣリーダ／ライタ１６３により読み出された携帯端末ＩＤは、必要に応じて例えば利用者により入力されたメールアドレスの情報などとともに管理サーバ３に送信される。
【００９７】
シール紙排出口１６４からは、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００９８】
スピーカ１６５は、事後接客処理の案内音声、BGM、効果音等の音を出力する。
【００９９】
次に、写真シール機１の内部構成について説明する。図１１は、写真シール機１の内部の構成例を示すブロック図である。なお、図１１において、図２乃至図１０における場合と対応する部分には同じ符号を付してあり、その説明は適宜省略する。
【０１００】
制御部２０１はCPU(Central Processing Unit)などよりなり、ROM(Read Only Memory)２０６や記憶部２０２に記憶されているプログラムを実行し、写真シール機１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【０１０１】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【０１０２】
通信部２０３はインターネットなどのネットワークのインタフェースであり、制御部２０１による制御に従って、管理サーバ３などの外部の装置と通信を行う。
【０１０３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１０４】
ROM２０６には、制御部２０１において実行されるプログラムやデータが記憶されている。RAM２０７は、制御部２０１が処理するデータやプログラムを一時的に記憶する。
【０１０５】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【０１０６】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【０１０７】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【０１０８】
照明制御部２２３は、制御部２０１より供給される照明制御信号に従って、撮影空間Ａ１内の各ストロボの発光を制御する。
【０１０９】
カメラ９１は、制御部２０１による制御に従って撮影を行い、撮影によって得られた画像を制御部２０１に出力する。
【０１１０】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。
【０１１１】
編集部２０９Ｂも編集部２０９Ａと同一の構成を有しており、編集空間Ａ２−２における編集処理を行う。なお、以下、編集部２０９Ａおよび編集部２０９Ｂを個々に区別する必要のない場合、単に編集部２０９とも称する。
【０１１２】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【０１１３】
事後接客部２１０は、事後接客空間Ａ３における事後接客処理を行う構成であるタブレット内蔵モニタ１６１、タッチペン１６２Ａ，１６２Ｂ、非接触型ＩＣリーダ／ライタ１６３、およびスピーカ１６５から構成される。
【０１１４】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【０１１５】
［管理サーバの構成例］
また、図１の管理サーバ３は、より詳細には図１２に示すように構成される。
【０１１６】
管理サーバ３では、CPU５１１、ROM５１２、およびRAM５１３がバス５１４により相互に接続されている。
【０１１７】
バス５１４には、さらに、入出力インタフェース５１５が接続される。入出力インタフェース５１５には、キーボード、マウスなどよりなる入力部５１６、ディスプレイ、スピーカなどよりなる出力部５１７が接続される。また、入出力インタフェース５１５には、ハードディスクや不揮発性のメモリなどより構成され、各種の情報を記憶する記憶部５１８、ネットワークインタフェースなどより構成され、写真シール機１や携帯型端末装置２と通信を行う通信部５１９、リムーバブルメディア５２１を駆動するドライブ５２０が接続される。
【０１１８】
記憶部５１８には、写真シール機１から送信されてきた画像、画像の識別情報である画像ＩＤ、携帯型端末装置２のメールアドレスなどの情報が記憶され、管理される。
【０１１９】
また、図１３は、管理サーバ３の機能的構成例を示す図である。なお、図１３の管理サーバ３を構成する機能ブロックのうちの少なくとも一部は、CPU５１１が所定のプログラムを実行することで実現される。
【０１２０】
図１３では、管理サーバ３は、情報管理部５５１、メール生成部５５２、送信部５５３、および受信部５５４から構成される。情報管理部５５１は、写真シール機１から送信されてきた編集画像等の管理を行なう。また、メール生成部５５２は、編集画像の保存先を示すURLへのリンクを含む電子メールを生成する。
【０１２１】
送信部５５３は、通信部５１９などから構成され、インターネットなどのネットワークを介して、写真シール機１や携帯型端末装置２などの装置に各種の情報やデータを送信する。また、受信部５５４は、通信部５１９などから構成され、インターネットなどのネットワークを介して、写真シール機１や携帯型端末装置２などの装置から送信されてきた各種の情報やデータを受信する。
【０１２２】
［携帯型端末装置の構成例］
図１４は、図１の携帯型端末装置２の構成例を示すブロック図である。
【０１２３】
携帯型端末装置２は、制御部５８１、アンテナ５８２、通信部５８３、記憶部５８４、表示部５８５、非接触型ＩＣ５８６、および操作部５８７から構成される。
【０１２４】
制御部５８１は、CPU，ROM，RAMなどよりなり、所定のプログラムを実行し、携帯型端末装置２の全体の動作を制御する。例えば、制御部５８１は、通信部５８３を制御して管理サーバ３やアプリケーションプログラム提供サーバ４と通信を行い、非接触型ＩＣ５８６を制御して写真シール機１と通信を行う。
【０１２５】
通信部５８３は、基地局から送信された電波が受信されることに応じてアンテナ５８２から供給された信号の復調処理を行い、復調処理を行うことによって得られた情報を制御部５８１に出力する。また、通信部５８３は、制御部５８１から供給された情報に対して変調処理を施し、得られた信号をアンテナ５８２から送信する。
【０１２６】
記憶部５８４はフラッシュメモリなどからなり、携帯端末ＩＤや、メールアドレス、アプリケーションプログラム提供サーバ４からダウンロードしたアプリケーションプログラムなどの各種の情報やデータを記憶する。
【０１２７】
表示部５８５はLCDなどよりなり、各種の情報を表示する。例えば表示部５８５には、管理サーバ３が管理する携帯サイトのウェブページや編集画像などが表示される。
【０１２８】
非接触型ＩＣ５８６は、写真シール機１の非接触型ＩＣリーダ／ライタ１６３との通信可能範囲にあるとき、非接触型ＩＣリーダ／ライタ１６３と近接通信を行う。非接触型ＩＣ５８６は、記憶部５８４から読み出され、制御部５８１から供給された携帯端末ＩＤを非接触型ＩＣリーダ／ライタ１６３に送信する。
【０１２９】
操作部５８７は各種のボタンや表示部５８５に重ねて設けられたタッチパネルより構成され、利用者の操作の内容を表す信号を制御部５８１に出力する。
【０１３０】
また、図１５は、携帯型端末装置２の機能的構成例を示す図である。なお、図１５の携帯型端末装置２を構成する機能ブロックのうちの少なくとも一部は、制御部５８１が記憶部５８４に記憶されているアプリケーションプログラムや、他の所定のプログラムを実行することで実現される。
【０１３１】
図１５に示す携帯型端末装置２は、機種選択部６１１、写り画像生成部６１２、送信部６１３、受信部６１４、および保存処理部６１５から構成される。
【０１３２】
機種選択部６１１は、利用者の操作に応じて、これから写り（写り値）を変更しようとする編集画像が生成された、写真シール機１の機種およびバージョンを選択する。写り画像生成部６１２は、機種選択部６１１により選択された機種およびバージョンごとに予め用意された写り値のうち、利用者により選択された写り値に基づいて、編集画像の写りを変更し、写り画像を生成する。
【０１３３】
送信部６１３は、アンテナ５８２や通信部５８３などから構成され、インターネットなどのネットワークを介して管理サーバ３などの装置に各種の情報やデータを送信する。また、受信部６１４は、アンテナ５８２や通信部５８３などから構成され、インターネットなどのネットワークを介して、管理サーバ３などの装置から送信されてきた各種の情報やデータを受信する。保存処理部６１５は、管理サーバ３などから取得された画像の記憶部５８４への記憶を制御する。
【０１３４】
［写真シール作成ゲーム処理の説明］
次に、図１の画像提供システムの動作について説明する。
【０１３５】
まず、図１６のフローチャートを参照して、写真シール機１により行なわれる写真シール作成ゲーム処理について説明する。
【０１３６】
ステップＳ１１において、写真シール機１の制御部２０１は、所定の金額分だけ硬貨が投入されたか否かを判定する。
【０１３７】
すなわち、写真シール作成ゲームを行なう利用者は、撮影空間Ａ１に入ると、硬貨投入返却口８７にゲームの代金として硬貨を投入する。すると、硬貨処理部２２１は利用者により投入された硬貨を検出し、検出された硬貨の投入額に応じて起動信号を制御部２０１に供給する。制御部２０１は、硬貨処理部２２１から起動信号が供給された場合、硬貨が投入されたと判定する。
【０１３８】
ステップＳ１１において、まだ硬貨が投入されていないと判定された場合、処理はステップＳ１１に戻り、硬貨が投入されたと判定されるまで、上述した処理が繰り返し行なわれる。
【０１３９】
これに対して、ステップＳ１１において硬貨が投入されたと判定された場合、ステップＳ１２において、制御部２０１は撮影部２０８を制御し、撮影処理を行なう。
【０１４０】
例えば、タッチパネルモニタ９３は撮影開始を利用者に知らせるカウントダウン等の画像を表示し、スピーカ２２４はこれから撮影を行なう旨の音声を出力する。また、タッチパネルモニタ９３は、カメラ９１により撮影された画像に、必要に応じて背景画像が合成されたライブビュー画像を表示する。利用者は、このようにして表示されたライブビュー画像を見ながらポーズをとり、撮影作業を行なう。
【０１４１】
そして、撮影するタイミングとなったとき、照明制御部２２３は、上ストロボ８２乃至下ストロボ８５等の各ストロボを制御して照明（フラッシュ）を被写体に照射させ、カメラ９１は、その瞬間に取り込まれている画像を撮影画像として制御部２０１に供給する。制御部２０１はカメラ９１から供給された撮影画像をRAM２０７に供給して一時的に記憶させる。
【０１４２】
ステップＳ１３において、制御部２０１は撮影部２０８を制御し、撮影空間Ａ１にいる利用者に対して、編集空間Ａ２−１または編集空間Ａ２−２の何れかへの移動案内を行なう。例えば編集空間Ａ２への移動案内は、タッチパネルモニタ９３が案内画面を表示したり、スピーカ２２４が移動案内の音声を出力したりすることにより行なわれる。
【０１４３】
ステップＳ１４において、制御部２０１は利用者の操作に応じて編集対象とする撮影画像（以下、編集対象画像とも称する）を保存する。
【０１４４】
例えば、利用者が編集空間Ａ２に移動すると、制御部２０１は、利用者の移動先の編集空間Ａ２のタブレット内蔵モニタ１３１に、RAM２０７に保存されている撮影画像の一覧を表示させる。
【０１４５】
すると、利用者は、タッチペン１３２によりタブレット内蔵モニタ１３１に対する操作を行い、編集対象画像とする撮影画像を選択する。制御部２０１は、タブレット内蔵モニタ１３１からの入力信号に基づいて、利用者により選択された撮影画像を編集対象画像として選択し、編集対象画像を記憶部２０２に記憶させる。
【０１４６】
ステップＳ１５において、制御部２０１は編集部２０９を制御して編集処理を行なう。例えば、制御部２０１は編集対象画像として選択された撮影画像とともに、予め定められたスタンプなどの画像等をタブレット内蔵モニタ１３１に表示させ、利用者による編集（落書き）を受け付ける。
【０１４７】
すると利用者はタッチペン１３２を操作して、編集対象画像上の所望の位置に予め定められたスタンプなどの画像や、文字などの線画像の合成を指示する。制御部２０１は、利用者の操作に応じてタブレット内蔵モニタ１３１から供給される入力信号に基づいて、編集対象画像に利用者により指示された画像（以下、合成用画像とも称する）を合成し、編集画像を生成する。また、制御部２０１は、得られた編集画像をタブレット内蔵モニタ１３１に表示させるとともに記憶部２０２に供給し、保存させる。
【０１４８】
ステップＳ１６において、制御部２０１は編集画像の写り値を設定する。
【０１４９】
例えば写真シール機１では、写真シール機１の機種やバージョンごとに、写り値「１」から「５」のパラメータが用意されている。そのため、同じ写り値「１」により示されるパラメータで写りが調整された画像でも、その写り値「１」についての写真シール機１の機種やバージョンが異なれば、異なる写り（明るさ）の画像となる。
【０１５０】
例えば、制御部２０１は、写真シール機１の機種やバージョンに対して予め用意された写り値に基づいて生成された、各写り値のサンプル用の画像をタブレット内蔵モニタ１３１に供給して表示させ、利用者に好みの写りの画像を選択させる。
【０１５１】
利用者によりサンプル用の画像が選択されると、制御部２０１はタブレット内蔵モニタ１３１からの入力信号に基づいて、利用者により選択された画像の写り値を、利用者により選択された写り値として設定する。例えば、写り値「１」乃至「５」のうちの何れかが選択された写り値として設定される。
【０１５２】
なお、利用者による写り値の選択は、撮影画像の編集後に限らず、撮影画像の編集直前や、撮影画像の撮影前、撮影画像の撮影直後など、どのようなタイミングで行なわれてもよい。
【０１５３】
また、利用者による写り値の選択は、例えば「くっきり」などの各写り値により得られる効果を説明する文字等をタブレット内蔵モニタ１３１に表示させ、表示された各文字等の一覧から利用者が好みのものを選択するようにしてもよい。さらに、各写り値のサンプル用の画像ではなく、実際に得られた編集画像から各写り値の写り画像を生成してタブレット内蔵モニタ１３１に表示させ、表示された各写り画像のうちの好みのものを利用者が指定することにより、写り値の選択が行なわれてもよい。
【０１５４】
また、写り値を選択すると、利用者はタッチペン１３２を用いて編集により得られた複数の編集画像のなかから、自分の携帯型端末装置２に送信する編集画像の選択を行なう。例えば、複数の編集画像のなかから、１つの編集画像が送信用の編集画像として選択され、利用者の選択に応じた入力信号がタブレット内蔵モニタ１３１から制御部２０１に供給される。なお、選択される編集画像は、１つに限らず２以上であってもよい。
【０１５５】
ステップＳ１７において、制御部２０１は、利用者による操作に応じて、携帯型端末装置２に送信する送信用の編集画像を選択する。
【０１５６】
また、制御部２０１は、利用者により選択された携帯型端末装置２への送信用の編集画像を特定する選択情報、各編集画像の撮影順序情報、および写真シール機１の機種とバージョンを示す機器ＩＤからなる情報を画像ＩＤとする。そして、制御部２０１は、画像ＩＤ、および利用者により選択された写り値を、記憶部２０２に供給し、編集画像と対応付けて保存させる。
【０１５７】
ステップＳ１８において、制御部２０１は利用者により選択された写り値に基づいて、編集で得られた編集画像に対する画像処理を行い、選択された写り値の写り画像を生成する。例えば、編集により得られた全ての編集画像について写り画像が生成される。
【０１５８】
ステップＳ１９において、制御部２０１は印刷部２１１を制御し、印刷処理を行なう。すなわち、制御部２０１は、生成した写り画像をプリンタ２４１に供給して印刷を行なわせる。プリンタ２４１は制御部２０１から供給された写り画像を所定のレイアウトでシール紙に印刷する。
【０１５９】
ステップＳ２０において、制御部２０１は、タブレット内蔵モニタ１３１に移動案内を表示させたり、スピーカ２３１から移動案内の音声を出力させたりすることで、編集空間Ａ２にいる利用者に対して事後接客空間Ａ３への移動案内を行なう。利用者は、この移動案内に応じて事後接客空間Ａ３へと移動する。
【０１６０】
ステップＳ２１において、制御部２０１は事後接客部２１０を制御して、事後接客処理を行なう。例えば、事後接客部２１０は、事後接客空間Ａ３でシール紙の印刷の終了を待つ利用者に対して、ミニゲーム等のサービスを提供する。
【０１６１】
また、タブレット内蔵モニタ１６１は利用者により選択された編集画像の送信先として、携帯型端末装置２のメールアドレスの入力を促す画面を表示する。すると、利用者はタッチペン１６２Ａやタッチペン１６２Ｂを用いてタブレット内臓モニタ１６１に対する操作を行ない、メールアドレスを入力する。
【０１６２】
ステップＳ２２において、制御部２０１は、利用者のメールアドレスの入力操作に応じた入力信号をタブレット内蔵モニタ１６１から取得することで、利用者のメールアドレスを取得する。制御部２０１は取得したメールアドレスを記憶部２０２に供給し、編集画像や画像ＩＤと対応づけて保存させる。
【０１６３】
ステップＳ２３において、制御部２０１は通信部２０３を制御して、記憶部２０２に保存されている編集画像、画像ＩＤ、写り値、およびメールアドレスを管理サーバ３に送信させる。
【０１６４】
なお、管理サーバ３に送信される編集画像は、写り値が「３」である写り画像ともいうことができる。以下、管理サーバ３に送信される写り値「３」の写り画像（編集画像）を元画像とも称することとする。
【０１６５】
また、写り画像のシール紙への印刷が終了すると、ステップＳ２４において、プリンタ２４１は、印刷したシール紙をシール紙排出口１６４から排出し、写真シール作成ゲーム処理は終了する。利用者は、シール紙排出口１６４から排出されたシール紙を受け取ると、事後接客空間Ａ３から退出する。
【０１６６】
このようにして、写真シール機１は利用者を撮影し、これにより得られた撮影画像に対して編集処理を施して編集画像を生成する。また、写真シール機１は、編集画像から利用者により選択された写り値の写り画像を生成してシール紙に印刷し、利用者に提供するとともに、編集画像や画像ＩＤ、写り値、メールアドレス等を管理サーバ３に送信する。
【０１６７】
管理サーバ３に編集画像（元画像）を送信して保存させることで、この元画像を利用者の携帯型端末装置２に提供することができるようになり、利用者の満足度を向上させることができる。
【０１６８】
なお、写り値が「３」である元画像は、撮影により得られた撮影画像と、利用者による落書き（編集）で得られた合成用画像とを合成して得られる画像であるが、管理サーバ３には、元画像が送信されてもよいし、撮影画像と合成用画像が送信されるようにしてもよい。例えば、撮影画像と合成用画像が管理サーバ３に送信される場合、携帯型端末装置２において、アプリケーションプログラムの実行により、撮影画像の写りが写り値に基づいて変更され、写り変更後の撮影画像と合成用画像が合成され、最終的な写り画像とされる。したがって、この場合、撮影画像の写りのみが変更され、合成用画像の写りは変更されないことになる。
【０１６９】
また、写り値「３」の元画像は、編集画像そのものであると説明したが、基本となる共通の画像処理が施された撮影画像や、他の画像処理結果などからなる画像情報が写り値「３」の元画像とされてもよい。そのような場合、例えば画像処理が施された撮影画像、撮影画像上の背景位置を示すクロマキ情報、撮影画像上の顔の領域を示す顔認識情報、および合成用画像などからなる画像情報が、写り値「３」の元画像として扱われる。
【０１７０】
［画像管理処理の説明］
以上のようにして、写真シール機１から管理サーバ３に元画像等が送信されると、管理サーバ３では、元画像の管理を行なう画像管理処理が開始される。以下、図１７のフローチャートを参照して、管理サーバ３による画像管理処理について説明する。
【０１７１】
ステップＳ４１において、受信部５５４は、写真シール機１から送信されてきた元画像、画像ＩＤ、写り値、およびメールアドレスを受信して情報管理部５５１に供給する。
【０１７２】
ステップＳ４２において、情報管理部５５１は、受信部５５４から供給された元画像、画像ＩＤ、写り値、およびメールアドレスを記憶部５１８に供給し、これらの情報を互いに対応付けて保存させる。
【０１７３】
このとき、情報管理部５５１は、複数の元画像のうち、画像ＩＤに含まれる選択情報により特定される元画像、つまり利用者により選択された送信用の元画像に保存先URLを割り当て、記憶部５１８の保存先URLにより特定される領域に元画像等を保存させる。
【０１７４】
ステップＳ４３において、メール生成部５５２は、元画像に対応付けられて記憶部５１８に保存されている携帯型端末装置２のメールアドレスを宛先として、元画像の保存先URLへのリンクを含む電子メールを生成し、送信部５５３に供給する。
【０１７５】
ステップＳ４４において、送信部５５３はメール生成部５５２から供給された電子メールを、宛先である携帯型端末装置２に送信する。
【０１７６】
携帯型端末装置２により電子メールが受信されて、保存先URLへのアクセスが行なわれると、ステップＳ４５において、送信部５５３は保存先URLに保存されている元画像を携帯型端末装置２に送信し、画像管理処理は終了する。
【０１７７】
すなわち、保存先URLへのアクセスが行なわれ、携帯型端末装置２から元画像の送信が要求されると、受信部５５４は携帯型端末装置２からの要求を受信して情報管理部５５１に供給する。すると、情報管理部５５１は、要求された元画像と、元画像に対応付けられて保存している画像ＩＤおよび写り値とを記憶部５１８から読み出して、送信部５５３に供給する。
【０１７８】
送信部５５３は、情報管理部５５１から供給された元画像、画像ＩＤ、および写り値を携帯型端末装置２に送信する。これにより、写真シール機１において、利用者により選択された元画像（編集画像）が携帯型端末装置２に送信されることになる。
【０１７９】
このようにして管理サーバ３は、写真シール機１から受信した元画像等を保存するとともに、元画像に対して保存先URLを割り当てて、保存先URLへのリンクを含む電子メールを携帯型端末装置２に送信する。
【０１８０】
これにより、携帯型端末装置２は、元画像や写り値を得ることができ、元画像の写り値をアプリケーションプログラムにより変更して、携帯型端末装置２の特性等に適した好みの写りの写り画像を得ることができるようになる。
【０１８１】
なお、携帯型端末装置２に送信される電子メールを、管理サーバ３が運営する携帯サイトのトップページ等へのリンクが含まれるものとしてもよい。この場合、携帯型端末装置２は、携帯サイトにアクセスし、携帯サイトに含まれるリンクを選択することで、保存先URLにアクセスする。
【０１８２】
［元画像取得処理の説明］
また、管理サーバ３から電子メールが送信されると、携帯型端末装置２は、送信されてきた電子メールを受信するとともに、保存先URLへアクセスして元画像を取得する元画像取得処理を行なう。以下、図１８のフローチャートを参照して、携帯型端末装置２による元画像取得処理について説明する。
【０１８３】
ステップＳ６１において、受信部６１４は、図１７のステップＳ４４の処理により管理サーバ３から送信されてきた電子メールを受信して、保存処理部６１５に供給する。
【０１８４】
保存処理部６１５は、受信部６１４から供給された電子メールを必要に応じて記憶部５８４に供給し、保存させるとともに、電子メールを表示部５８５に供給して表示させる。
【０１８５】
すると、利用者は表示部５８５に表示された電子メールを見て確認するとともに、操作部５８７を操作して、電子メール上に表示された保存先URLへのリンクを指定して、保存先URLへのアクセスを指示する。
【０１８６】
ステップＳ６２において、送信部６１３は操作部５８７に対する利用者の操作に応じて保存先URLにアクセスし、管理サーバ３に元画像の送信を要求する。これにより、管理サーバ３では、図１７のステップＳ４５の処理が行なわれ、管理サーバ３から携帯型端末装置２に元画像、画像ＩＤ、および写り値が送信される。
【０１８７】
ステップＳ６３において、受信部６１４は、管理サーバ３から送信されてきた元画像、画像ＩＤ、および写り値を受信して保存処理部６１５に供給する。
【０１８８】
ステップＳ６４において、保存処理部６１５は、受信部６１４からの元画像、画像ＩＤ、および写り値を記憶部５８４に供給して保存させ、元画像取得処理は終了する。
【０１８９】
このようにして携帯型端末装置２は、受信した電子メールから管理サーバ３の保存先URLにアクセスし、利用者が写真シール機１で送信用の編集画像として選択した元画像等を取得する。元画像等を取得すれば、アプリケーションプログラム提供サーバ４から購入したアプリケーションプログラムを用いて、元画像の写り値を自由に変更させることができるようになる。
【０１９０】
なお、以上においては、携帯型端末装置２にアプリケーションプログラムがインストールされているか等の条件に関係なく、全ての携帯型端末装置２に写り値「３」の元画像を保存できると説明したが、所定条件を満たす場合にのみ、元画像をダウンロードできるようにしてもよい。そのような場合、例えば携帯型端末装置２を所有する利用者が、管理サーバ３が運営する携帯サイトに会員として登録されており、かつアプリケーションプログラムが携帯型端末装置２にインストール（ダウンロード）されている場合にのみ、元画像のダウンロード（保存）が可能とされる。
【０１９１】
この場合、管理サーバ３において、管理サーバ３に保存されている利用者の登録情報に基づいて、利用者が有料会員であるか無料会員であるかが判定され、有料会員であるか無料会員であるかに応じて、ダウンロード可能な元画像の数が異なるようにしてもよい。
【０１９２】
［写り値変更処理の説明］
次に、図１９のフローチャートを参照して、携帯型端末装置２により行なわれる写り値変更処理について説明する。なお、写り値変更処理は、予めアプリケーションプログラム提供サーバ４から購入され、携帯型端末装置２にインストールされたアプリケーションプログラムの起動が指示されると開始される。
【０１９３】
ステップＳ８１において、制御部５８１は記憶部５８４に記憶されているアプリケーションプログラムを実行することで、アプリケーションプログラムを起動させる。
【０１９４】
アプリケーションプログラムが起動されると、利用者は操作部５８７を操作して、記憶部５８４に保存されている１または複数の元画像のうち、写り値を変更しようとする元画像を指定する。すると機種選択部６１１は、指定された元画像と対応付けて保存されている画像ＩＤを記憶部５８４から取得して、画像ＩＤに含まれる機器ＩＤを参照することで、利用者により指定された元画像が生成された写真シール機１の機種およびバージョンを特定する。
【０１９５】
機種選択部６１１は、各写真シール機１の機種とバージョンの一覧とともに、写真シール機１の機種とバージョンの選択を促す文字メッセージが表示される画面を表示部５８５に表示させる。このとき、例えば機種選択部６１１は、一覧において、記憶部５８４から取得した機器ＩＤにより特定された機種およびバージョンが、カーソルにより選択されている状態で機種とバージョンの一覧を表示させる。
【０１９６】
利用者は操作部５８７を操作して、表示部５８５に表示された機種とバージョンの一覧から、写り値を変更しようとする元画像が生成された写真シール機１の機種とバージョンを選択する。
【０１９７】
このように、元画像とともに機器ＩＤを含む画像ＩＤが記憶部５８４に保存されている場合には、携帯型端末装置２側において、写真シール機１の機種とバージョンを特定することができる。したがって、利用者は元画像ごとにいちいち機種等を思い出す必要がなくなり、利便性を向上させることができる。
【０１９８】
なお、携帯型端末装置２では、機器ＩＤにより写真シール機１の機種とバージョンの特定が可能であるので、特に利用者に機種とバージョンを選択させず、機器ＩＤにより特定される機種等の情報をそのまま用いるようにしてもよい。また、利用者が直接、写真シール機１の機種とバージョンを入力するようにしてもよい。
【０１９９】
利用者により写真シール機１の機種とバージョンが選択されると、ステップＳ８２において、機種選択部６１１は利用者による操作部５８７の操作に応じて、写真シール機１の機種とバージョンを選択する。そして、機種選択部６１１は、選択した写真シール機１の機種とバージョンに対して用意された写り値、すなわち写りを調整するためのパラメータを記憶部５８４から読み出して、写り画像生成部６１２に供給する。
【０２００】
ステップＳ８３において、写り画像生成部６１２は、元画像の写り値の変更を受け付ける。例えば、写り画像生成部６１２は、写り値の選択画面を表示部５８５に供給して表示させる。利用者は操作部５８７を操作し、表示部５８５に表示された画面上において、所望の写り値を選択する。
【０２０１】
なお、写り値の選択画面上に、元画像と対応付けられて記憶部５８４に記憶されている写り値、つまり利用者が写真シール機１において選択した写り値を示す情報が表示されるようにしてもよい。この場合、利用者は表示された情報を参考にしながら、写り値を変更することができる。
【０２０２】
ステップＳ８４において、写り画像生成部６１２は、利用者により指定された元画像を記憶部５８４から読み出すとともに、機種選択部６１１から供給された写り値に基づいて、読み出した元画像に対する画像処理を行い、利用者により選択された写り値の写り画像を生成する。すなわち、機種選択部６１１により選択された機種およびバージョンの写り値のうちの、利用者により選択された写り値が用いられて、元画像の写りが調整される。
【０２０３】
例えば、利用者により写り値「４」が選択された場合、元画像の写り値が「３」から「４」に変更されるように、元画像の写り（例えば、明るさ）の調整が行なわれる。これにより、写り値が「４」である元画像、つまり写り値「４」の写り画像が生成される。
【０２０４】
ステップＳ８５において、写り画像生成部６１２は、生成した写り画像を表示部５８５に供給して表示させる。
【０２０５】
表示部５８５に新たな写り値の写り画像が表示されると、利用者は表示された写り画像を確認するとともに、操作部５８７を操作して写り画像の保存を指示する。
【０２０６】
なお、生成された写り画像が利用者の好みのものでないこともあり得るので、写り画像の確認後、利用者が写り画像の再生成等を指示できるようにしてもよい。そのような場合には、写り画像の再生成が指示されると、処理はステップＳ８３に戻り、上述した処理が行なわれることになる。
【０２０７】
ステップＳ８６において、写り画像生成部６１２は、利用者の指示に応じて写り画像を記憶部５８４に供給し、写り画像を、写り画像のもととなる元画像と対応付けて保存させ、写り値変更処理は終了する。
【０２０８】
ここで、図１９の写り値変更処理が行なわれるときに携帯型端末装置２に表示される、画面の遷移について説明する。
【０２０９】
上述したステップＳ８１でアプリケーションプログラムが起動されると、例えば図２０の矢印Ｑ１１に示す画面が携帯型端末装置２の表示部５８５に表示される。
【０２１０】
矢印Ｑ１１に示す画面には、アプリケーションプログラムについて説明する文字「写真シール機で撮った画像の写りを変えることができちゃうアプリです。」が表示されるとともに、写りの変更を開始するためのボタン６２１が表示されている。このボタン６２１には、文字「START」が表示されている。
【０２１１】
また、表示部５８５には、アプリケーションプログラムについての設定を変更するときに操作されるボタン６２２、ヘルプ機能のボタン６２３、および問い合わせをするときに操作されるボタン６２４が表示されている。
【０２１２】
このような画面が表示された状態で、利用者が操作部５８７等を操作することでボタン６２１を操作すると、矢印Ｑ１２に示すように表示部５８５には、写りの変更の対象となる元画像の一覧が表示される。
【０２１３】
矢印Ｑ１２に示す画面には、写り値を変更する元画像の選択を促すメッセージ「変更したい画像を選択してね。」が表示されるとともに、携帯型端末装置２に保存されている元画像のサムネイル画像６２５−１乃至サムネイル画像６２５−６が一覧表示されている。特に、カーソル等により選択された状態となっているサムネイル画像６２５−１には、文字「選択」が重畳表示されている。
【０２１４】
なお、以下、サムネイル画像６２５−１乃至サムネイル画像６２５−６を個々に区別する必要のない場合、単にサムネイル画像６２５とも称する。
【０２１５】
また、矢印Ｑ１２に示す画面には、この画面に表示しきれない他のサムネイル画像６２５を表示させるときに操作されるボタン６２６が表示されており、このボタン６２６には文字「他の画像」が表示されている。その他、矢印Ｑ１２に示す画面には、ボタン６２２乃至ボタン６２４が表示されている。
【０２１６】
矢印Ｑ１２に示す画面が表示されている状態で、サムネイル画像６２５の選択が決定されると、そのサムネイル画像６２５に対応する元画像が、写り値を変更する元画像として選択されて、矢印Ｑ１３に示す画面が表示される。そして、利用者の操作に応じて図１９のステップＳ８２の処理が行なわれる。
【０２１７】
矢印Ｑ１３に示す画面には、写真シール機１の機種とバージョンの選択を促すメッセージ「写真シール機の機種を選んでね。」が表示される。また、画面には機種を選択するためのプルダウンメニュー６２７と、バージョンを選択するためのプルダウンメニュー６２８が表示されており、それらの図中、上側には文字「写真シール機は？」および「バージョンは？」が表示されている。
【０２１８】
さらに、矢印Ｑ１３に示す画面には、ボタン６２９、ボタン６３０、およびボタン６２２乃至ボタン６２４が表示されている。ボタン６２９は、表示部５８５の表示を矢印Ｑ１２に示す画面に戻すときに操作され、ボタン６３０は、プルダウンメニュー６２７およびプルダウンメニュー６２８で選択されている機種とバージョンの選択を決定するときに操作される。
【０２１９】
したがって、矢印Ｑ１３に示す画面が表示されると、利用者はプルダウンメニュー６２７を操作して写真シール機１の機種を選択するとともに、プルダウンメニュー６２８を操作してバージョンを選択する。
【０２２０】
なお携帯型端末装置２では、矢印Ｑ１２に示す画面で選択されたサムネイル画像６２５に対応する元画像が生成された、写真シール機１の機種およびバージョンが機器ＩＤにより特定される。そして、特定された機種およびバージョンがプルダウンメニュー６２７やプルダウンメニュー６２８で選択されている状態となるように、矢印Ｑ１３に示す画面の表示が行なわれる。
【０２２１】
利用者は機種とバージョンを選択するとボタン６３０を操作し、その選択を決定する。すると図１９のステップＳ８２の処理が行なわれて、表示部５８５には矢印Ｑ１４に示す画面が表示される。
【０２２２】
矢印Ｑ１４に示す画面には、写り値の指定を促すメッセージ「写りを選択してね。」が表示されるとともに、各写り値を指定するときに操作されるボタン６３１−１乃至ボタン６３１−５が表示されている。
【０２２３】
これらのボタン６３１−１乃至ボタン６３１−５には、指定される写り値を示す数字「１」乃至「５」が表示されている。例えば、ボタン６３１−１には数字「１」が表示されており、ボタン６３１−１が操作されると、写り値「１」が選択される。また、ボタン６３１−１乃至ボタン６３１−５のうち、選択されているボタンは他のボタンと異なる表示形式で表示されている。例えば、図２０の例では、ボタン６３１−５が選択されている。
【０２２４】
なお、以下、ボタン６３１−１乃至ボタン６３１−５を個々に区別する必要のない場合、単にボタン６３１とも称する。
【０２２５】
さらに、矢印Ｑ１４に示す画面において、ボタン６３１の図中、下側には各ボタンにより指定される写り値によって写りを調整したときの写り具合を表す表示バー６３２が設けられている。表示バー６３２の図中、左側および右側には、それぞれ文字「暗い」および「明るい」が表示されている。
【０２２６】
写り画像は、その写り値が大きいほど明るい画像となるので、より大きい値の写り値のボタン６３１が設けられている方向、すなわち図中、右側にいくほど、表示バー６３２の明るさ（色の濃淡）も明るくなっている。したがって、利用者は、表示バー６３２を参考にしながら、適切に写り値を選択することができる。
【０２２７】
さらに、矢印Ｑ１４に示す画面には、ボタン６３３、ボタン６３４、およびボタン６２２乃至ボタン６２４が表示されている。ボタン６３３は、表示部５８５の表示を矢印Ｑ１３に示す画面に戻すときに操作され、ボタン６３４は、ボタン６３１で選択されている写り値の選択を決定するときに操作される。
【０２２８】
利用者がボタン６３１を操作して写り値を選択した後、ボタン６３４を操作すると、ボタン６３１の操作によりなされた写り値の選択が決定され、図１９のステップＳ８３において写り値が選択される。
【０２２９】
写り値が選択されると、その後、携帯型端末装置２ではステップＳ８４およびステップＳ８５の処理が行なわれ、表示部５８５には、矢印Ｑ１５に示す画面が表示される。
【０２３０】
矢印Ｑ１５に示す画面には、生成された写り画像が大きく表示されるとともに、写り画像に重畳されて、写り画像である旨のメッセージ「写り変更した画像です。画面タッチで保存してね。」や、写り値を示す文字「写り５」が表示されている。
【０２３１】
このようにして表示される写り画像は、矢印Ｑ１２に示す画面で選択された元画像の写りを、矢印Ｑ１４に示す画面で選択した写り値に基づいて写り調整して得られた写り画像である。また、矢印Ｑ１５に示す画面には、写り画像のほか、ボタン６２２乃至ボタン６２４も表示されている。
【０２３２】
このようにして写り画像が表示されると、利用者は表示部５８５に設けられた操作部５８７としてのタッチパネルに対する操作を行なう等して、生成された写り画像の保存を指示する。すると、図１９のステップＳ８６の処理が行なわれ、写り画像が保存される。
【０２３３】
なお、写り画像の保存時には、写り画像とともに、その写り画像の写り値も対応付けられて保存されるようにしてもよい。また、写り値の変更履歴として、変更後の写り値が管理サーバ３に送信され、その写り値が管理サーバ３に保存されるようにしてもよい。
【０２３４】
以上のようにして、携帯型端末装置２は、アプリケーションプログラムを実行させることで、管理サーバ３から取得した元画像の写り値を、利用者の好みの写り値に変更する。これにより、利用者の好みや、携帯型端末装置２の表示部５８５等の特性に応じた写りの写り画像（編集画像）を提供することができ、利用者の満足度を向上させることができる。つまり、より利用者のニーズに合った画像を提供することができる。
【０２３５】
特に、携帯型端末装置２では、機種等によって表示部５８５の表示特性が異なるので、同じ画像を表示させた場合でも、異なる写りで画像が表示されることがある。また、同じ機種でも携帯型端末装置２の個体ごとに表示特性が異なる場合もある。
【０２３６】
そこで、各携帯型端末装置２に、写りの調整の行なわれていない元画像を保存させておき、携帯型端末装置２側で、利用者の好みの写り値の写り画像を生成できるようにすれば、利用者の好みの写りの画像を提供することができる。しかも、写真シール機１の機種やバージョンごとに異なるパラメータの写り値を予め用意しておくことで、元画像を生成した写真シール機１ごとに最適な写り調整を行なうことができ、より利用者の満足度を向上させることができるようになる。
【０２３７】
また、新しいものを好む利用者は、所有する携帯型端末装置２を新たに開発された、より高性能な携帯型端末装置２に変更することがある。ところが、以前に写真シール機１で得られた編集画像を、新たに購入した携帯型端末装置２に保存し直した場合に、それらの編集画像の写りの設定が新たな携帯型端末装置２に適していないと、見映えのよい編集画像を表示させることができなくなってしまう。
【０２３８】
しかし、図１に示した画像提供システムを構成する携帯型端末装置２では、アプリケーションプログラムを利用して、元画像の写り値をいつでも好みの写り値に変更することができるので、元画像の保存先によらず利用者の好みの写りの画像を提供することができる。
【０２３９】
なお、以上においては、携帯型端末装置２において、元画像の写り値が利用者により指定された写り値に変更される場合について説明したが、携帯型端末装置２には写真シール機１で利用者により指定された写り値が保存されているので、これを利用して写り値が変更されるようにしてもよい。
【０２４０】
そのような場合、例えばアプリケーションプログラムが起動されると、写り画像生成部６１２により元画像と、元画像に対応付けられて保存されている画像ＩＤおよび写り値とが取得される。そして、取得された画像ＩＤに含まれる機器ＩＤにより特定される写真シール機１の写り値のうち、取得された写り値に基づいて、元画像の写り調整が行なわれ、取得された写り値の写り画像が生成され、記憶部５８４に保存される。この場合においても、元画像に基づいて新たに指定された写り値の写り画像を生成することは勿論可能である。
【０２４１】
さらに、アプリケーションプログラム提供サーバ４により提供されるアプリケーションプログラムでは、写真シール機１の機種やバージョンごとに、その機種やバージョンの写り値（パラメータ）のデータを購入できるようにしてもよい。このようにすることで利用者は、例えば写真シール機１がバージョンアップされたときなどに、新たなバージョンの写り値のデータを購入し、アプリケーションプログラムを起動させたときに、写真シール機１の適切な機種やバージョンを選択することができるようになる。
【０２４２】
なお、写真シール機１の機種やバージョンごとにアプリケーションプログラムが用意されるようにしてもよい。写真シール機１の機種やバージョンごとにアプリケーションプログラムや、写り値のデータを用意することで、より適切な写り値の写り画像を提供することができるだけでなく、アプリケーションプログラムの提供側の利益向上も図ることができる。
【０２４３】
〈第２の実施の形態〉
［管理サーバの機能的構成例］
さらに、以上においては、写真シール機１での利用者の写り値の選択によらず、管理サーバ３と携帯型端末装置２に写り値「３」の元画像が保存されると説明したが、管理サーバ３において利用者により選択された写り値の写り画像が生成されるようにしてもよい。
【０２４４】
そのような場合、管理サーバ３の機能的な構成は、例えば図２１に示すような構成とされる。なお、図２１において、図１３における場合と対応する部分には同一の符号を付してあり、その説明は省略する。
【０２４５】
図２１の管理サーバ３の構成は、新たに写り画像生成部６４１が設けられた点で図１３に示した管理サーバ３の構成と異なり、その他の点では、図１３の管理サーバ３と同じ構成となっている。
【０２４６】
すなわち、図２１に示す管理サーバ３は、情報管理部５５１、メール生成部５５２、送信部５５３、受信部５５４、および写り画像生成部６４１から構成される。写り画像生成部６４１は、記憶部５１８に保存されている元画像と写り値に基づいて、その写り値の写り画像を生成し、記憶部５１８に保存させる。
【０２４７】
［画像管理処理の説明］
次に、図２２のフローチャートを参照して、管理サーバ３の機能的な構成が図２１に示す構成とされる場合における、管理サーバ３による画像管理処理について説明する。
【０２４８】
なお、この場合、写真シール機１では、図１６を参照して説明した写真シール作成ゲーム処理が行なわれ、写真シール機１から管理サーバ３に元画像、画像ＩＤ、写り値、およびメールアドレスが送信される。
【０２４９】
管理サーバ３に元画像、画像ＩＤ、写り値、およびメールアドレスが送信されてくると、ステップＳ１１１およびステップＳ１１２の処理が行なわれるが、これらの処理は図１７のステップＳ４１およびステップＳ４２の処理と同様であるので、その説明は省略する。
【０２５０】
ステップＳ１１３において、写り画像生成部６４１は、ステップＳ１１２の処理で記憶部５１８に保存された元画像と写り値を読み出して、読み出した写り値に基づいて元画像の写りを調整することで写り画像を生成する。
【０２５１】
より詳細には、写り画像生成部６４１は、複数の元画像のうち、画像ＩＤに含まれる選択情報により特定される元画像、つまり利用者により選択された送信用の元画像を記憶部５１８から読み出して、読み出した元画像の写りを調整し、写り画像を生成する。
【０２５２】
このとき、写り画像生成部６４１は、画像ＩＤに含まれる機器ＩＤにより特定される写真シール機１の機種およびバージョンについて用意された、元画像に対応付けられて保存されている写り値のパラメータに基づいて、元画像の写りを調整する。これにより、写真シール機１において、利用者により選択された写り（写り値）の写り画像が生成される。情報管理部５５１は、写り画像生成部６４１により生成された写り画像に保存先URLを割り当てて、記憶部５１８の保存先URLにより特定される領域に写り画像を保存させる。
【０２５３】
ステップＳ１１４において、メール生成部５５２は、元画像に対応付けて記憶部５１８に保存されているメールアドレスを読み出して、そのメールアドレスを宛先とし、写り画像の保存先URLのリンクを含む電子メールを生成して、送信部５５３に供給する。
【０２５４】
電子メールが生成されると、ステップＳ１１５において電子メールが携帯型端末装置２送信されるが、この処理は図１７のステップＳ４４の処理と同様であるので、その説明は省略する。
【０２５５】
携帯型端末装置２により電子メールが受信されて、保存先URLへのアクセスが行なわれると、ステップＳ１１６において、送信部５５３は保存先URLに保存されている写り画像、画像ＩＤ、および写り値を携帯型端末装置２に送信し、画像管理処理は終了する。
【０２５６】
すなわち、保存先URLへのアクセスが行なわれ、携帯型端末装置２から写り画像の送信が要求されると、受信部５５４は携帯型端末装置２からの要求を受信して情報管理部５５１に供給する。すると、情報管理部５５１は、要求された写り画像、画像ＩＤ、および写り値を記憶部５１８から読み出して、送信部５５３に供給する。
【０２５７】
送信部５５３は、情報管理部５５１から供給された写り画像、画像ＩＤ、および写り値を携帯型端末装置２に送信する。これにより、写真シール機１において利用者により選択された写り値の写り画像が、携帯型端末装置２に送信されることになる。
【０２５８】
このようにして管理サーバ３は、写真シール機１から受信した元画像等を保存するとともに、元画像から利用者に選択された写り値の写り画像を生成し、電子メールを利用して写り画像を携帯型端末装置２に送信する。これにより携帯型端末装置２に対して、利用者により選択された写り値の写り画像を提供することができ、利用者の満足度を向上させることができる。
【０２５９】
［写り画像取得処理の説明］
また、管理サーバ３から電子メールが送信されると、携帯型端末装置２は、送信されてきた電子メールを受信するとともに、保存先URLへアクセスして写り画像を取得する写り画像取得処理を行なう。以下、図２３のフローチャートを参照して、携帯型端末装置２による写り画像取得処理について説明する。
【０２６０】
なお、ステップＳ１４１およびステップＳ１４２の処理は、図１８のステップＳ６１およびステップＳ６２の処理と同様であるので、その説明は省略する。
【０２６１】
ステップＳ１４３において、受信部６１４は、図２２のステップＳ１１６の処理により管理サーバ３から送信されてきた写り画像、画像ＩＤ、および写り値を受信して保存処理部６１５に供給する。
【０２６２】
ステップＳ１４４において、保存処理部６１５は、受信部６１４からの写り画像、画像ＩＤ、および写り値を記憶部５８４に供給して保存させ、写り画像取得処理は終了する。記憶部５８４に写り画像が保存されると、その後利用者は、この写り画像を表示部５８５に表示させて閲覧することができる。
【０２６３】
また、利用者は携帯型端末装置２を操作してアプリケーションプログラムを実行させることで、記憶部５８４に保存されている写り画像の写りを変更させることができる。そのような場合、携帯型端末装置２では、指定された写り画像が処理対象とされて図１９を参照して説明した写り値変更処理と同様の処理が行われ、写り画像の写り値が変更される。但し、このとき写り画像と元画像の相対的な写りの差、つまり元画像の写りを特定するために、写り画像と対応付けられて保存されている写り値（処理対象となっている写り画像の写り値）が利用される。
【０２６４】
このように、写り画像を管理サーバ３から取得して携帯型端末装置２に保存させる場合でも、アプリケーションプログラムを利用して、取得した写り画像の写り値を利用者の好みの写り値に変更することができ、利用者の満足度を向上させることができる。
【０２６５】
また、以上においては、写真シール機１の機種やバージョンごとに写り値（パラメータ）のセットを用意すると説明したが、その他、写真シール機１の設置場所、例えば写真シール機１が設置されている地域ごとに写り値（パラメータ）のセットが用意されてもよい。
【０２６６】
そのような場合、例えば観光地や映画館ごとに、その観光地や映画館に固有の写り値のパラメータ等を提供することができるだけでなく、写真シール機１が設置されている観光地や映画館などのコンテンツや情報もアプリケーションプログラムを利用して配信することができる。したがって、例えば利用者は、携帯型端末装置２でアプリケーションプログラムを実行させることで、観光地や映画館などのいわゆるご当地コンテンツや情報を受信させ、有用な情報を得ることができる。
【０２６７】
〈第３の実施の形態〉
［携帯型端末装置の機能的構成例］
さらに、図１の画像提供システムにおいて、アプリケーションプログラムに元画像や写り画像の編集機能を設けるようにし、携帯型端末装置２が元画像等の編集を行なうことができるようにしてもよい。そのような場合、アプリケーションプログラム提供サーバ４により提供されるアプリケーションプログラムには、画像に対する編集機能を実現する編集キットが組み込まれている。
【０２６８】
なお、編集キットは予めアプリケーションプログラムに組み込まれているようにしてもよいし、複数の編集キットのうちのいくつかを利用者が個別に購入し、購入された編集キットが携帯型端末装置２において、アプリケーションプログラムに組み込まれてもよい。また、携帯型端末装置２が携帯電話機である場合には、編集キットが携帯電話機のキャリアごとに用意されてもよいし、いわゆるご当地の編集キットなど地域ごとの編集キットが用意されてもよい。
【０２６９】
このようにアプリケーションプログラムに編集キットが組み込まれている場合、携帯型端末装置２の機能的な構成は、例えば図２４に示すような構成とされる。なお、図２４において、図１５における場合と対応する部分には同一の符号を付してあり、その説明は省略する。
【０２７０】
図２４の携帯型端末装置２の構成は、新たに編集処理部６７１が設けられた点で図１５に示した携帯型端末装置２の構成と異なり、その他の点では、図１５の携帯型端末装置２と同じ構成となっている。
【０２７１】
すなわち、図２４の携帯型端末装置２は、機種選択部６１１、写り画像生成部６１２、送信部６１３、受信部６１４、保存処理部６１５、および編集処理部６７１から構成される。編集処理部６７１は、利用者の操作に応じて元画像に対する編集処理を行なう。
【０２７２】
［編集処理の説明］
携帯型端末装置２が図２４に示す構成とされる場合、利用者はアプリケーションプログラムを起動させることで、管理サーバ３から受信した元画像の写り値を変更したり、元画像に対する編集処理を行なったりすることができる。なお、写り値の変更と元画像の編集とは同時に行なわれてもよいし、個別に行なわれてもよいが、以下では、説明を簡単にするため、写り値の変更と元画像の編集が個別に行なわれるものとして説明を続ける。
【０２７３】
以下、図２５のフローチャートを参照して、携帯型端末装置２が元画像に対する編集を行なう処理である編集処理について説明する。この編集処理は、利用者によりアプリケーションプログラムの起動が指示されると開始される。
【０２７４】
ステップＳ１７１において、制御部５８１は記憶部５８４に記憶されているアプリケーションプログラムを実行することで、アプリケーションプログラムを起動させる。
【０２７５】
アプリケーションプログラムが起動されると、利用者は操作部５８７を操作して、記憶部５８４に保存されている１または複数の元画像のうち、編集を行なおうとする元画像を指定する。
【０２７６】
すると、ステップＳ１７２において、編集処理部６７１は、利用者により指定された元画像を記憶部５８４から読み出して表示部５８５に供給し、元画像を表示させる。このとき、表示部５８５には、編集対象となる元画像のほか、編集に用いられるスタンプやペンなどの編集ツールが表示される。
【０２７７】
ステップＳ１７３において、編集処理部６７１は元画像に対する編集入力を受け付ける。例えば、利用者は操作部５８７を操作してスタンプなどの編集ツールを選択し、選択したスタンプなどにより元画像上の任意の位置にスタンプ画像や文字などを合成させ、元画像に対する編集作業（落書き）を行なう。すなわち、元画像に対する編集入力が行なわれる。
【０２７８】
ステップＳ１７４において、編集処理部６７１は、利用者による操作部５８７の操作に応じて、編集対象の元画像に利用者により指示された画像を合成し、元画像に対する編集処理を行なう。より詳細には、元画像に対して合成される合成用画像が生成される。編集処理部６７１は、編集された元画像を表示部５８５に供給して表示させ、利用者の編集作業の結果を反映させる。
【０２７９】
ステップＳ１７５において、編集処理部６７１は、編集処理を終了するか否かを判定する。例えば、利用者により編集された元画像の保存が指示された場合、編集処理を終了すると判定される。
【０２８０】
ステップＳ１７５において、まだ編集処理を終了しないと判定された場合、処理はステップＳ１７３に戻り、上述した処理が繰り返される。
【０２８１】
これに対して、ステップＳ１７５において、編集処理を終了すると判定された場合、ステップＳ１７６において、編集処理部６７１は、編集された元画像を記憶部５８４に供給し、編集された元画像を、編集前の元画像と対応付けて保存させ、編集処理は終了する。
【０２８２】
このようにして携帯型端末装置２は、利用者の操作に応じて元画像を編集する。これにより、利用者は、写真シール機１だけでなく、自分の携帯型端末装置２においても元画像に対する編集を行なうことができ、より自分の好みの画像を得ることができる。
【０２８３】
したがって例えば、利用者は写真シール機１で全く編集を行なわず、自分の携帯型端末装置２でゆっくりと元画像（この場合、撮影画像）に対する編集を行うこともできる。しかも、この場合、利用者ごとに編集を行なうことで、利用者ごとに異なる画像を得ることができる。
【０２８４】
〈第４の実施の形態〉
［編集処理の説明］
また、第３の実施の形態では、編集キットがアプリケーションプログラムに組み込まれて携帯型端末装置２に保存されると説明したが、利用者により購入された編集キットがアプリケーションプログラム提供サーバ４で管理され、さらに編集キットの入れ替えを行なうことができるようにしてもよい。例えば、編集キットの入れ替えでは、利用者により購入され、アプリケーションプログラム提供サーバ４で管理されている編集キットが、利用者の指示により他の編集キットに変更される。したがって、利用者は、編集キットの購入後でも、より好みの他の編集キットへの入れ替えを行ない、入れ替えられた編集キットを用いて元画像に対する編集を行なうことができるようになる。
【０２８５】
このように編集キットがアプリケーションプログラム提供サーバ４で管理される場合、利用者によりアプリケーションプログラムの起動が指示されると、携帯型端末装置２では、図２６に示す編集処理が行なわれる。以下、図２６のフローチャートを参照して、携帯型端末装置２による編集処理について説明する。
【０２８６】
なお、ステップＳ２０１およびステップＳ２０２の処理は、図２５のステップＳ１７１およびステップＳ１７２の処理と同様であるので、その説明は省略する。
【０２８７】
表示部５８５に編集対象の元画像と、編集ツールとが表示されると、ステップＳ２０３において、編集処理部６７１は編集キットの入れ替えを行なうか否かを判定する。例えば、利用者により操作部５８７が操作されて、編集キットの入れ替えが指示された場合、入れ替えが指示されたと判定される。
【０２８８】
ステップＳ２０３において、編集キットの入れ替えを行なうと判定された場合、ステップＳ２０４において、編集処理部６７１は編集キットの入れ替えを行なう。
【０２８９】
すなわち、編集処理部６７１は、送信部６１３および受信部６１４を制御してアプリケーションプログラム提供サーバ４にアクセスさせ、アプリケーションプログラム提供サーバ４により提供される編集キットの一覧表示画面を取得して、表示部５８５に表示させる。
【０２９０】
すると、利用者は、操作部５８７を操作して好みの編集キットを選択する。編集処理部６７１は送信部６１３を制御して、利用者により選択された編集キットを特定する情報をアプリケーションプログラム提供サーバ４に送信させるとともに、その情報により特定される編集キットへの入れ替えを要求する。この要求を受けたアプリケーションプログラム提供サーバ４は、携帯型端末装置２の指示に応じて、利用者が所有する編集キットの入れ替えを行ない、入れ替え後の新たな編集キットの編集ツールを表示するための画像を携帯型端末装置２に送信し、受信部６１４はこれを受信する。
【０２９１】
すると、編集処理部６７１は、受信部６１４により受信された編集ツールを表示するための画像を表示部５８５に供給して表示させる。これにより、利用者は、入れ替え後の新たな編集キットを利用して元画像に対する編集を行なうことができるようになる。編集キットの入れ替えが行なわれると、その後、処理はステップＳ２０５に進む。
【０２９２】
また、ステップＳ２０３において、編集キットの入れ替えを行なわないと判定された場合、ステップＳ２０４の処理は行なわれないので、処理はステップＳ２０５に進む。
【０２９３】
ステップＳ２０３において編集キットの入れ替えを行なわないと判定されたか、ステップＳ２０４で編集キットの入れ替えが行なわれると、ステップＳ２０５の処理が行なわれるが、この処理は図２５のステップＳ１７３の処理と同様であるので、その説明は省略する。
【０２９４】
ステップＳ２０６において、編集処理部６７１は、送信部６１３および受信部６１４を制御してアプリケーションプログラム提供サーバ４から、編集用のデータを取得する。ここで、編集用のデータとは、利用者により編集入力が行なわれた編集ツールによる編集に必要なデータ、例えばスタンプ画像などのデータである。すなわち、編集用のデータとは、元画像に合成される画像等のデータである。
【０２９５】
編集用のデータが取得されると、その後、ステップＳ２０７乃至ステップＳ２０９の処理が行なわれて編集処理は終了するが、これらの処理は図２５のステップＳ１７４乃至ステップＳ１７６の処理と同様であるので、その説明は省略する。
【０２９６】
以上のようにして携帯型端末装置２は、必要に応じて編集キットの入れ替えを行い、アプリケーションプログラム提供サーバ４とデータの授受を行ないながら、元画像に対する編集処理を行なう。このように、必要に応じて編集キットの入れ替えを行なうことができるようにすれば、利用者はそのときの気分に応じて好みの編集キットを利用し、元画像の編集を行なうことができる。
【０２９７】
また、アプリケーションプログラム提供サーバ４で編集キットの管理を行なうようにすれば、携帯型端末装置２の記憶部５８４の記憶容量を削減することができる。なお、アプリケーションプログラム等について、携帯型端末装置２に記憶可能なデータ容量を予め定めておき、そのデータ容量を超える分については、アプリケーションプログラム提供サーバ４で管理されるようにしてもよい。そのような場合、アプリケーションプログラムを構成する編集キット等の一部のデータがアプリケーションプログラム提供サーバ４で管理される。
【０２９８】
さらに、図２６の編集処理では、元画像の編集前に編集キットの入れ替えが行なわれる例について説明したが、元画像の編集中にも編集キットを入れ替えることができるようにしてもよい。
【０２９９】
［編集キット提供処理の説明］
また、編集キットの入れ替えが行なわれる場合、アプリケーションプログラム提供サーバ４は、携帯型端末装置２の要求に応じて、編集キットを入れ替えたり、編集用のデータを提供したりする編集キット提供処理を行なう。以下、図２７のフローチャートを参照して、アプリケーションプログラム提供サーバ４による編集キット提供処理について説明する。
【０３００】
ステップＳ２３１において、アプリケーションプログラム提供サーバ４は、編集キットの入れ替えを行なうか否かを判定する。例えば、携帯型端末装置２から入れ替えの要求があった場合に、入れ替えを行なうと判定される。
【０３０１】
ステップＳ２３１において、編集キットの入れ替えを行なうと判定された場合、ステップＳ２３２において、アプリケーションプログラム提供サーバ４は、編集キットの入れ替えを行なう。例えば、アプリケーションプログラム提供サーバ４は、利用者（携帯型端末装置２）を特定する情報と、その利用者が所有している編集キットを示す情報とを記憶している。アプリケーションプログラム提供サーバ４は、携帯型端末装置２から新たな編集キットへの入れ替えが要求された場合、編集キットの一覧表示画面を携帯型端末装置２に送信する。また、アプリケーションプログラム提供サーバ４は、携帯型端末装置２からの要求に応じて、記憶している利用者の編集キットを示す情報を、新たに要求された編集キットを示す情報に書き換えて、必要なデータを携帯型端末装置２に送信する。
【０３０２】
編集キットの入れ替えが行なわれると、その後、処理はステップＳ２３３に進む。また、ステップＳ２３１において、編集キットの入れ替えを行なわないと判定された場合、ステップＳ２３２の処理は行なわれず、処理はステップＳ２３３に進む。
【０３０３】
ステップＳ２３１において入れ替えを行なわないと判定されたか、またはステップＳ２３２において入れ替えが行なわれると、ステップＳ２３３において、アプリケーションプログラム提供サーバ４は、編集用のデータを送信するか否かを判定する。例えば、携帯型端末装置２から編集用のデータの送信が要求された場合、編集用のデータを送信すると判定される。
【０３０４】
ステップＳ２３３において、編集用のデータを送信すると判定された場合、ステップＳ２３４において、アプリケーションプログラム提供サーバ４は、要求された編集用のデータを携帯型端末装置２に送信し、処理はステップＳ２３５に進む。
【０３０５】
これに対して、ステップＳ２３３において、編集用のデータを送信しないと判定された場合、処理はステップＳ２３５に進む。
【０３０６】
ステップＳ２３３において編集用のデータを送信しないと判定されたか、またはステップＳ２３４において編集用のデータが送信されると、ステップＳ２３５において、アプリケーションプログラム提供サーバ４は、処理を終了するか否かを判定する。例えば、携帯型端末装置２から、編集の終了が通知された場合、終了すると判定される。
【０３０７】
ステップＳ２３５において、終了しないと判定された場合、処理はステップＳ２３３に戻り、上述した処理が繰り返される。すなわち、携帯型端末装置２の要求に応じて、編集用のデータが送信される。
【０３０８】
これに対して、ステップＳ２３５において、終了すると判定された場合、アプリケーションプログラム提供サーバ４は、行なっている処理を停止して、編集キット提供処理は終了する。
【０３０９】
以上のようにして、アプリケーションプログラム提供サーバ４は、利用者の編集キットを管理するとともに、必要に応じて編集用のデータを携帯型端末装置２に送信する。
【０３１０】
〈第５の実施の形態〉
［画像提供システムの構成例］
さらに、以上においては、写真シール機１において、利用者の撮影、撮影画像の編集、およびシール紙の印刷を行なう場合について説明したが、撮影を行なう装置と、編集や印刷を行なう装置が異なる場所に配置されているようにしてもよい。
【０３１１】
そのような場合、画像提供システムは、例えば図２８に示すように構成される。なお、図２８において、図１における場合と対応する部分には同一の符号を付してあり、その説明は適宜省略する。
【０３１２】
図２８の画像提供システムは、撮影機７０１−１乃至撮影機７０１−３、管理サーバ３、専用情報端末装置７０２−１、専用情報端末装置７０２−２、および携帯型端末装置２から構成される。
【０３１３】
撮影機７０１−１乃至撮影機７０１−３は、写真シール機１が有する撮影機能のみを備えた装置であり、利用者を被写体として撮影し、その結果得られた撮影画像などを管理サーバ３に送信する。なお、以下、撮影機７０１−１乃至撮影機７０１−３を個々に区別する必要のない場合、単に撮影機７０１とも称する。
【０３１４】
専用情報端末装置７０２−１および専用情報端末装置７０２−２は、写真シール機１が有する編集機能と印刷機能を備えており、管理サーバ３から受信した撮影画像に対する編集を行なって、編集後の撮影画像を印刷したり、編集後の撮影画像を管理サーバ３に保存させたりする。また、専用情報端末装置７０２−１および専用情報端末装置７０２−２は、図１のアプリケーションプログラム提供サーバ４としても機能し、携帯型端末装置２にアプリケーションプログラムを提供する。
【０３１５】
以下、専用情報端末装置７０２−１および専用情報端末装置７０２−２を個々に区別する必要のない場合、単に専用情報端末装置７０２とも称する。また、専用情報端末装置７０２は、利用者に対して広告を表示する広告表示機能も有している。
【０３１６】
図２８の画像提供システムでは、管理サーバ３は、撮影機７０１や専用情報端末装置７０２とインターネットなどのネットワークを介して通信し、情報やデータの授受を行なう。なお、図２８の例では、管理サーバ３の機能的構成は、図１３に示した構成とされる。
【０３１７】
また、専用情報端末装置７０２は、撮影機７０１の近傍に設置されてもよいし、撮影機７０１と離れた位置に設置されてもよい。例えば、専用情報端末装置７０２を撮影機７０１とは異なる場所に設置すれば、比較的狭いスペースでも余裕を持って撮影機７０１を設置することができる。撮影機７０１は撮影機能のみを備えているので、小型化が可能である。
【０３１８】
［撮影機の構成例］
また、図２８の撮影機７０１は、例えば図２９に示すように構成される。なお、図２９において、図１０または図１１における場合と対応する部分には同じ符号を付してあり、その説明は適宜省略する。
【０３１９】
図２８の撮影機７０１は、制御部２０１、記憶部２０２、通信部２０３、ドライブ２０４、ROM２０６、RAM２０７、および撮影部２０８から構成される。この撮影機７０１の構成は、編集部２０９、事後接客部２１０、および印刷部２１１が設けられていない点で図１１の写真シール機１と異なり、その他の点では写真シール機１と同じ構成とされている。
【０３２０】
但し、撮影機７０１の撮影部２０８には、カメラ９１、タッチパネルモニタ９３、硬貨処理部２２１、背景制御部２２２、照明制御部２２３、およびスピーカ２２４の他、非接触型ＩＣリーダ／ライタ１６３が設けられている。非接触型ＩＣリーダ／ライタ１６３は、携帯型端末装置２と非接触の近接通信を行い、情報の授受を行なう。
【０３２１】
［専用情報端末装置の構成例］
また、図２８の専用情報端末装置７０２は、例えば図３０に示すように構成される。
【０３２２】
すなわち、専用情報端末装置７０２は、制御部７３１、記憶部７３２、通信部７３３、ドライブ７３４、ROM７３５、RAM７３６、編集部７３７、および印刷部７３８から構成される。また、ドライブ７３４には、光ディスクや半導体メモリなどよりなるリムーバブルメディア７３９が適宜装着される。
【０３２３】
なお、制御部７３１乃至RAM７３６は、図１１に示した写真シール機１の制御部２０１乃至ドライブ２０４、ROM２０６、およびRAM２０７と同様であるので、その説明は省略する。
【０３２４】
また、編集部７３７には、タブレット内蔵モニタ７４１、タッチペン７４２Ａ、タッチペン７４２Ｂ、スピーカ７４３、および非接触型ＩＣリーダ／ライタ７４４が設けられている。なお、タブレット内蔵モニタ７４１乃至スピーカ７４３は、図１１の写真シール機１におけるタブレット内蔵モニタ１３１乃至スピーカ２３１と同様であるので、その説明は省略する。
【０３２５】
非接触型ＩＣリーダ／ライタ７４４は、近接された携帯型端末装置２の非接触型ＩＣ５８６と通信を行い、非接触型ＩＣ５８６からのデータの読み出しや非接触型ＩＣ５８６に対するデータの書き込みを行う。
【０３２６】
さらに印刷部７３８は、プリンタ７５１およびシール紙ユニット７５２を備えている。なお、これらのプリンタ７５１およびシール紙ユニット７５２は、図１１の写真シール機１におけるプリンタ２４１およびシール紙ユニット２４２と同様であるので、その説明は省略する。
【０３２７】
［写真シール作成ゲーム処理の説明］
次に、図２８の画像提供システムの動作について説明する。
【０３２８】
まず、図３１のフローチャートを参照して、撮影機７０１により行なわれる写真シール作成ゲーム処理について説明する。なお、ステップＳ２６１およびステップＳ２６２の処理は、図１６のステップＳ１１およびステップＳ１２の処理と同様であるので、その説明は省略する。撮影処理が行なわれると、制御部２０１はカメラ９１から供給された撮影画像をRAM２０７に供給して一時的に記憶させる。
【０３２９】
ステップＳ２６３において、制御部２０１は利用者の操作に応じて編集対象とする撮影画像を保存する。例えば、制御部２０１は、タッチパネルモニタ９３に、RAM２０７に保存されている撮影画像の一覧を表示させる。
【０３３０】
利用者がタッチパネルモニタ９３を操作して、編集対象とする撮影画像を選択すると、タッチパネルモニタ９３から制御部２０１には、利用者の操作に応じた入力信号が供給されるので、制御部２０１は、その入力信号に基づいて撮影画像を選択する。また、制御部２０１は、撮影機７０１の機種とバージョンを示す機器ＩＤ、および撮影画像の撮影順を示す撮影順序情報からなる情報を画像ＩＤとし、画像ＩＤと、編集対象として選択された撮影画像とを対応付けて記憶部２０２に供給し、記憶させる。
【０３３１】
ステップＳ２６４において、制御部２０１は撮影画像の写り値を設定する。例えばステップＳ２６４では、図１６のステップＳ１６と同様の処理が行なわれる。制御部２０１は、設定された写り値を記憶部２０２に供給し、撮影画像と対応付けて保存させる。
【０３３２】
ステップＳ２６５において、制御部２０１は、利用者または携帯型端末装置２を特定するユーザＩＤを取得する。
【０３３３】
例えば、制御部２０１は、携帯型端末装置２をかざすように促す文字メッセージや画像をタッチパネルモニタ９３に表示させる。すると、利用者は所持している携帯型端末装置２を非接触型ＩＣリーダ／ライタ１６３にかざして通信を行わせる。
【０３３４】
非接触型ＩＣリーダ／ライタ１６３は、携帯型端末装置２の非接触型ＩＣ５８６と無線で通信を行い、携帯型端末装置２から携帯端末ＩＤをユーザＩＤとして受信して制御部２０１に供給する。制御部２０１は、非接触型ＩＣリーダ／ライタ１６３から供給されたユーザＩＤを記憶部２０２に供給し、撮影画像と対応付けて保存させる。
【０３３５】
ステップＳ２６６において、制御部２０１は通信部２０３を制御して、記憶部２０２に保存されている撮影画像、画像ＩＤ、写り値、およびユーザＩＤを管理サーバ３に送信させて写真シール作成ゲーム処理は終了する。
【０３３６】
撮影機７０１での撮影を終えた利用者は、適宜、任意の専用情報端末装置７０２に移動して、撮影画像の編集や、編集された撮影画像のシール紙への印刷を行なう。
【０３３７】
このようにして、撮影機７０１は、利用者の撮影を行い、その結果得られた撮影画像等を管理サーバ３に送信する。撮影機７０１は、編集や印刷が行なわれず、撮影のみが行なわれる構成とされるので、筐体の小型化を図ることができる。
【０３３８】
［画像管理処理の説明］
また、撮影機７０１から管理サーバ３に撮影画像等が送信されると、管理サーバ３では、送信されてきた撮影画像等を受信して保存する画像管理処理が行なわれる。以下、図３２のフローチャートを参照して、管理サーバ３による画像管理処理について説明する。
【０３３９】
ステップＳ２９１において、受信部５５４は、撮影機７０１から送信されてきた撮影画像、画像ＩＤ、写り値、およびユーザＩＤを受信して情報管理部５５１に供給する。
【０３４０】
ステップＳ２９２において、情報管理部５５１は、受信部５５４から供給された撮影画像、画像ＩＤ、写り値、およびユーザＩＤを記憶部５１８に供給して保存させ、画像管理処理は終了する。
【０３４１】
［編集処理の説明］
利用者は、撮影機７０１での撮影を終えると、撮影で得られた撮影画像の編集や印刷のために専用情報端末装置７０２へと移動してくる。そして、利用者は、所持している携帯型端末２を専用情報端末装置７０２にかざして、撮影画像の編集開始を指示する。
【０３４２】
すると、専用情報端末装置７０２は、利用者の操作に応じて撮影画像の編集や印刷を行なう編集処理を開始する。以下、図３３のフローチャートを参照して、専用情報端末装置７０２による編集処理について説明する。
【０３４３】
ステップＳ３２１において、非接触型ＩＣリーダ／ライタ７４４は、携帯型端末装置２との近接通信を行って、携帯型端末装置２の非接触型ＩＣ５８６から送信されてきた携帯端末ＩＤを、利用者または携帯型端末装置２を特定するユーザＩＤとして受信する。非接触型ＩＣリーダ／ライタ７４４は、受信したユーザＩＤを制御部７３１に供給する。
【０３４４】
ステップＳ３２２において、制御部７３１は通信部７３３を制御して、非接触型ＩＣリーダ／ライタ７４４から供給されたユーザＩＤを管理サーバ３に送信させる。
【０３４５】
すると、ユーザＩＤを受信した管理サーバ３は、記憶部５１８に保存されている複数の撮影画像のうち、受信したユーザＩＤと同じユーザＩＤが対応付けられており、未編集の最も更新日時が新しい撮影画像と、画像ＩＤおよび写り値とを専用情報端末装置７０２に送信する。
【０３４６】
ステップＳ３２３において、通信部７３３は、管理サーバ３から送信されてきた撮影画像、画像ＩＤ、および写り値を受信して制御部７３１に供給する。
【０３４７】
ステップＳ３２４において、制御部７３１は、通信部７３３から供給された撮影画像をタブレット内蔵モニタ７４１に供給し、編集対象の撮影画像として表示させる。
【０３４８】
ステップＳ３２５において、制御部７３１は編集部７３７を制御して編集処理を行なう。このステップＳ３２５では、図１６のステップＳ１５と同様の処理が行なわれて、撮影画像と合成用画像とが合成され、編集画像が生成される。この編集画像は、編集された撮影画像である。
【０３４９】
また、撮影画像の編集が行なわれると、利用者は、タッチペン７４２Ａなどによりタブレット内蔵モニタ７４１に対する操作を行ない、自分の携帯型端末装置２に送信する編集画像の選択を行なう。
【０３５０】
ステップＳ３２６において、制御部７３１は、利用者の選択操作に応じて、携帯型端末装置２に送信する送信用の編集画像を選択する。また、制御部７３１は、利用者により選択された携帯型端末装置２への送信用の編集画像を特定する選択情報も生成する。なお、この場合、撮影画像を編集して得られた編集画像が、写り値「３」の元画像とされる。
【０３５１】
ステップＳ３２７において、制御部７３１は、編集により得られた編集画像と、通信部７３３から供給された画像ＩＤおよび写り値とに基づいて、写り画像を生成する。
【０３５２】
具体的には、制御部７３１は、画像ＩＤに含まれている機器ＩＤにより特定される撮影機７０１の機種およびバージョンに対して用意された各写り値のパラメータのうち、管理サーバ３から受信した写り値のパラメータに基づいて、編集画像の写りを調整し、写り画像を生成する。
【０３５３】
なお、撮影機７０１において撮影画像の写りが、利用者により選択された写り値の写りに調整されるようにし、専用情報端末装置７０２では、そのようにして調整された写りの撮影画像に対して、ステップＳ３２５で得られた合成用画像を合成して写り画像としてもよい。
【０３５４】
ステップＳ３２８において、制御部７３１は印刷部７３８を制御し、印刷処理を行なう。すなわち、制御部７３１は、生成した写り画像をプリンタ７５１に供給して印刷を行なわせる。プリンタ７５１は制御部７３１から供給された写り画像を所定のレイアウトでシール紙に印刷する。
【０３５５】
また、印刷が開始されると、制御部７３１は、タブレット内蔵モニタ７４１に、メールアドレスの入力を促す文字メッセージを表示させる。すると、利用者は、タッチペン７４２Ａ等によりタブレット内蔵モニタ７４１への操作を行ない、携帯型端末装置２のメールアドレスを入力する。
【０３５６】
ステップＳ３２９において、制御部７３１は、利用者のメールアドレスの入力操作に応じた入力信号をタブレット内蔵モニタ７４１から取得することで、利用者のメールアドレスを取得する。
【０３５７】
ステップＳ３３０において、制御部７３１は通信部７３３を制御して、編集により得られた編集画像、すなわち写り値「３」の元画像と、携帯型端末装置２への送信用の編集画像を特定する選択情報、およびメールアドレスとを管理サーバ３に送信させる。このようにして管理サーバ３に送信された元画像、選択情報、およびメールアドレスは、管理サーバ３において、撮影画像に対応付けられて記録される。
【０３５８】
また、写り画像のシール紙への印刷が終了すると、ステップＳ３３１において、プリンタ７５１は、印刷したシール紙をシール紙排出口から排出し、編集処理は終了する。利用者は、シール紙排出口から排出されたシール紙を受け取る。
【０３５９】
なお、利用者は、その他、専用情報端末装置７０２と携帯型端末装置２とを通信させ、アプリケーションプログラムを購入したり、専用情報端末装置７０２を操作して広告を表示させたりすることができる。この場合、例えば利用者は、専用情報端末装置７０２で撮影画像の編集を行なった後、その場でアプリケーションプログラムの購入手続きを行なうことができる。したがって利用者の利便性を向上させることができる。
【０３６０】
また、専用情報端末装置７０２により提供されるアプリケーションプログラムは、専用情報端末装置７０２ごとや、専用情報端末装置７０２が設置されている地域ごとに異なるものとされてもよい。
【０３６１】
以上のようにして、専用情報端末装置７０２は、管理サーバ３から撮影画像を取得して、利用者の操作に応じて撮影画像に対する編集を行なうとともに、編集された撮影画像をシール紙に印刷して利用者に提供する。このように、撮影と、編集および印刷とを異なる装置で行なうようにすれば、撮影機７０１や専用情報端末装置７０２の小型化を図ることができるとともに、利用者の待ち時間を低減させることができる。
【０３６２】
［画像提供処理の説明］
次に、図３４のフローチャートを参照して、専用情報端末装置７０２により編集処理が行なわれるときに、管理サーバ３により行なわれる画像提供処理について説明する。この画像提供処理は、図３３のステップＳ３２２の処理により、専用情報端末装置７０２から管理サーバ３にユーザＩＤが送信されてくると開始される。
【０３６３】
ステップＳ３６１において、管理サーバ３の受信部５５４は、専用情報端末装置７０２から送信されてきたユーザＩＤを受信して情報管理部５５１に供給する。
【０３６４】
ステップＳ３６２において、情報管理部５５１は送信部５５３を制御して、受信部５５４から供給されたユーザＩＤにより特定される撮影画像を専用情報端末装置７０２に送信させる。
【０３６５】
例えば、情報管理部５５１は、記憶部５１８に保存されている複数の撮影画像のうち、ユーザＩＤが対応付けられている撮影画像を特定し、特定した撮影画像と、その撮影画像に対応付けられている画像ＩＤおよび写り値とを記憶部５１８から読み出して送信部５５３に供給する。送信部５５３は、情報管理部５５１から供給された撮影画像、画像ＩＤ、および写り値を専用情報端末装置７０２に送信する。
【０３６６】
また、専用情報端末装置７０２において、図３３のステップＳ３３０の処理が行なわれると、専用情報端末装置７０２からは、元画像、選択情報、およびメールアドレスが送信されてくる。
【０３６７】
ステップＳ３６３において、受信部５５４は、専用情報端末装置７０２から送信されてきた元画像、選択情報、およびメールアドレスを受信して、情報管理部５５１に供給する。
【０３６８】
ステップＳ３６４において、情報管理部５５１は、受信部５５４から供給された元画像、選択情報、およびメールアドレスを記憶部５１８に供給して、保存させる。例えば、元画像およびメールアドレスは、元画像が生成されるもととなった撮影画像と対応付けられて保存され、選択情報は、その撮影画像と対応付けられている画像ＩＤに含まれるように保存される。
【０３６９】
元画像が保存されると、その後、ステップＳ３６５乃至ステップＳ３６７の処理が行なわれて画像提供処理は終了するが、これらの処理は図１７のステップＳ４３乃至ステップＳ４５の処理と同様であるので、その説明は省略する。
【０３７０】
以上のように、専用情報端末装置７０２で画像の編集や印刷が行なわれる場合においても、管理サーバ３は携帯型端末装置２に元画像を送信し、これにより利用者に好みの写りの写り画像を提供することができるようになる。
【０３７１】
なお、図２８の画像提供システムにおいて、撮影機７０１では、図１の画像提供システムにおける場合よりも安い金額で撮影を行なうことができるようにし、利用者がアプリケーションプログラムを購入することで、携帯型端末装置２側で撮影画像の編集や写り値の変更を行なうことができるようにしてもよい。
【０３７２】
また、この実施の形態では、ユーザＩＤを利用して、専用情報端末装置７０２で編集すべき撮影画像を特定すると説明したが、電子メールを利用して編集すべき撮影画像を特定するようにしてもよい。
【０３７３】
そのような場合、例えば撮影機７０１において利用者がメールアドレスを入力し、撮影機７０１は、撮影画像とともにメールアドレスを管理サーバ３に送信する。管理サーバ３は、携帯型端末装置２に対して、撮影機７０１で撮影された撮影画像を特定するための特定ＩＤとパスワードなどを含む電子メールを生成し、携帯型端末装置２に送信する。
【０３７４】
そして、利用者は、専用情報端末装置７０２において、専用情報端末装置７０２を操作して管理サーバ３と通信させ、電子メールに含まれている特定ＩＤやパスワードを入力する。すると、管理サーバ３は、入力されたパスワードに基づいて利用者の認証を行い、特定ＩＤにより特定される撮影画像を専用情報端末装置７０２に送信する。このようにして、専用情報端末装置７０２に撮影画像が供給されると、利用者は、専用情報端末装置７０２において、撮影画像の編集を行なうことができるようになる。
【０３７５】
さらに、上述した各実施の形態において、アプリケーションプログラム提供サーバ４等から携帯型端末装置２に提供されるアプリケーションプログラムには、写り値を変更する機能だけでなく、他の機能も含まれるようにしてもよい。例えば、そのような機能としては、トリミング，拡大，縮小など、画像の形状等を変化させる機能などが考えられる。
【０３７６】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、例えば図１１の記憶部２０２、図１２の記憶部５１８、図１４の記憶部５８４などにインストールされる。
【０３７７】
なお、プログラムは、本明細書で説明する順序に沿って時系列に処理が行われるプログラムであっても良いし、並列に、あるいは呼び出しが行われたとき等の必要なタイミングで処理が行われるプログラムであっても良い。
【０３７８】
また、本発明の実施の形態は、上述した実施の形態に限定されるものではなく、本発明の要旨を逸脱しない範囲において種々の変更が可能である。
【符号の説明】
【０３７９】
１  写真シール機
２  携帯型端末装置
３  管理サーバ
５１８  記憶部
５５１  情報管理部
５５２  メール生成部
５５３  送信部
５５４  受信部
５８４  記憶部
５８６  非接触型ＩＣ
６１１  機種選択部
６１２  写り画像生成部
６１３  送信部
６１４  受信部
６１５  保存処理部
【図１】
0005700250.tif 000002
【図２】
0005700250.tif 000003
【図３】
0005700250.tif 000004
【図４】
0005700250.tif 000005
【図５】
0005700250.tif 000006
【図６】
0005700250.tif 000007
【図７】
0005700250.tif 000008
【図８】
0005700250.tif 000009
【図９】
0005700250.tif 000010
【図１０】
0005700250.tif 000011
【図１１】
0005700250.tif 000012
【図１２】
0005700250.tif 000013
【図１３】
0005700250.tif 000014
【図１４】
0005700250.tif 000015
【図１５】
0005700250.tif 000016
【図１６】
0005700250.tif 000017
【図１７】
0005700250.tif 000018
【図１８】
0005700250.tif 000019
【図１９】
0005700250.tif 000020
【図２０】
0005700250.tif 000021
【図２１】
0005700250.tif 000022
【図２２】
0005700250.tif 000023
【図２３】
0005700250.tif 000024
【図２４】
0005700250.tif 000025
【図２５】
0005700250.tif 000026
【図２６】
0005700250.tif 000027
【図２７】
0005700250.tif 000028
【図２８】
0005700250.tif 000029
【図２９】
0005700250.tif 000030
【図３０】
0005700250.tif 000031
【図３１】
0005700250.tif 000032
【図３２】
0005700250.tif 000033
【図３３】
0005700250.tif 000034
【図３４】
0005700250.tif 000035